(57)【要約】【課題】無線アクセスネットワークの処理を分担する一方のノードから他方のノードへ送信される情報の量をより少なくすることを可能にすること。【解決手段】本発明の装置は、端末装置により送信されるアップリンク信号に基づいてチャネル推定を行うことにより、上記端末装置についてのチャネル情報を生成する情報生成部と、予め定められたチャネル情報候補のグループの中から、生成された上記チャネル情報に対応するチャネル情報候補を選択する選択部と、上記端末装置についてのスケジューリングを行う第１のノードに、選択された上記チャネル情報候補を示す指示情報を通知する通知部と、を備える。【選択図】図８
2017038529.tif 000002
【特許請求の範囲】
【請求項１】
端末装置により送信されるアップリンク信号に基づいてチャネル推定を行うことにより、前記端末装置についてのチャネル情報を生成する情報生成部と、
予め定められたチャネル情報候補のグループの中から、生成された前記チャネル情報に対応するチャネル情報候補を選択する選択部と、
前記端末装置についてのスケジューリングを行う第１のノードに、選択された前記チャネル情報候補を示す指示情報を通知する通知部と、
を備える装置。
【請求項２】
前記指示情報は、選択された前記チャネル情報候補のインデックスである、請求項１に記載の装置。
【請求項３】
予め定められたチャネル情報候補の前記グループは、予め定められたチャネル情報候補を要素として含むコードブックである、請求項１又は２に記載の装置。
【請求項４】
前記コードブックは、プリコーディング行列のフィードバックのために前記端末装置により使用される他のコードブックを、前記コードブックの一部として含む、請求項３に記載の装置。
【請求項５】
前記コードブックは、プリコーディング行列のフィードバックのために前記端末装置により使用されるコードブックと同じである、請求項３に記載の装置。
【請求項６】
前記アップリンク信号は、前記端末装置により送信されるアップリンクリファレンス信号である、請求項１〜５のいずれか１項に記載の装置。
【請求項７】
前記アップリンクリファレンス信号は、ＤＭＲＳ（Demodulation  Reference  Signal）又はＳＲＳ（Sounding  Reference  Signal）である、請求項６に記載の装置。
【請求項８】
選択された前記チャネル情報候補は、生成された前記チャネル情報と高い相関性があるチャネル情報候補である、請求項１〜７のいずれか１項に記載の装置。
【請求項９】
前記情報生成部は、前記端末装置により送信されるアップリンク信号に基づいてチャネル品質を測定することにより、前記端末装置についてのチャネル品質指標を生成し、
前記通知部は、前記第１のノードに前記チャネル品質指標を通知する、
請求項１〜８のいずれか１項に記載の装置。
【請求項１０】
前記第１のノードから、前記スケジューリングの結果として生成されるスケジューリング情報を取得する情報取得部と、
前記スケジューリング情報に基づいてダウンリンク信号を送信する送信処理部と、
をさらに備える、請求項１〜９のいずれか１項に記載の装置。
【請求項１１】
前記情報生成部は、前記端末装置により送信されるアップリンク信号に基づいてチャネル品質を測定することにより、前記端末装置についてのチャネル品質指標を生成し、
前記選択部は、前記チャネル品質指標に基づいて、前記第１のノードに前記指示情報を通知するか否かを選択する、
請求項１〜１０のいずれか１項に記載の装置。
【請求項１２】
前記選択部は、前記チャネル品質指標が閾値よりも大きければ、前記第１のノードに前記指示情報を通知することを選択し、前記チャネル品質指標が前記閾値よりも小さければ、前記第１のノードに前記指示情報を通知しないことを選択する、請求項１１に記載の装置。
【請求項１３】
前記閾値を示す閾値情報を前記第１のノードから取得する情報取得部をさらに備える、請求項１２に記載の装置。
【請求項１４】
前記情報取得部は、前記第１のノードの運用開始時に、前記第１のノードから前記閾値情報を取得する、請求項１３に記載の装置。
【請求項１５】
前記装置は、前記第１のノードに接続される第２のノード、又は当該第２のノードのためのモジュールであり、
前記情報取得部は、前記第１のノードへの前記第２のノードの追加時に、前記第１のノードから前記閾値情報を取得する、請求項１３又は１４に記載の装置。
【請求項１６】
前記情報生成部は、複数の端末装置の各々により送信されるアップリンク信号に基づいてチャネル推定を行うことにより、前記複数の端末装置の各々についてのチャネル情報を生成し、
前記選択部は、前記複数の端末装置の各々についての前記チャネル情報に基づいて、前記複数の端末装置のうちの、空間多重又はビームフォーミングに適した２つ以上の端末装置のセットを選択し、
前記通知部は、前記２つ以上の端末装置の前記セットを示す端末セット情報を、前記第１のノードに通知する、
請求項１〜１５のいずれか１項に記載の装置。
【請求項１７】
前記選択部は、前記２つ以上の端末装置のチャネル情報間の直交性の程度を示す直交性指標を生成し、
前記通知部は、前記直交性指標を前記第１のノードに通知する、
請求項１６に記載の装置。
【請求項１８】
前記情報生成部は、前記複数の端末装置の各々により送信されるアップリンク信号に基づいてチャネル品質を測定することにより、前記複数の端末装置の各々についてのチャネル品質指標を生成し、
前記通知部は、前記２つ以上の端末装置の前記セットについての補正されたチャネル品質指標を、前記第１のノードに通知する、
請求項１６又は１７に記載の装置。
【請求項１９】
前記通知部は、前記２つ以上の端末装置の前記セットについての補正されたチャネル情報、又は当該補正されたチャネル情報に対応するチャネル情報候補を示す指示情報を、前記第１のノードに通知する、請求項１６〜１８のいずれか１項に記載の装置。
【請求項２０】
前記装置は、前記第１のノードに接続される第２のノード、又は当該第２のノードのためのモジュールである、請求項１〜１９のいずれか１項に記載の装置。
【請求項２１】
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得する情報取得部と、
前記指示情報に基づいて、前記端末装置についてのスケジューリングを行う制御部と、
を備える装置。
【請求項２２】
前記情報取得部は、前記第２のノードから、前記端末装置についてのチャネル品質指標を取得し、
前記制御部は、前記チャネル品質指標にさらに基づいて、前記端末装置についての前記スケジューリングを行う、
請求項２１に記載の装置。
【請求項２３】
前記スケジューリングの結果として生成されるスケジューリング情報を前記第２のノードに通知する通知部をさらに備える、請求項２１又は２２に記載の装置。
【請求項２４】
前記スケジューリング情報は、リソース割当て情報、適応変調符号化情報、及び、空間多重情報又はビームフォーミング情報を含む、請求項２３に記載の装置。
【請求項２５】
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
請求項２３又は２４に記載の装置。
【請求項２６】
前記リソース割当て情報は、前記パターンとして、前記端末装置に割り当てられる無線リソースの開始位置及びサイズを示す、請求項２５に記載の装置。
【請求項２７】
前記スケジューリング情報は、コードブックに含まれる要素のインデックスを含む、請求項２３〜２６のいずれか１項に記載の装置。
【請求項２８】
前記コードブックは、空間多重又はビームフォーミングのための重みセットの候補のグループであり、
前記要素は、空間多重又はビームフォーミングのための重みセットの候補である、
請求項２７に記載の装置。
【請求項２９】
前記コードブックは、予め定められたチャネル情報候補のグループであり、
前記要素は、予め定められたチャネル情報候補である、
請求項２７に記載の装置。
【請求項３０】
前記第２のノードにより生成されるチャネル品質指標と比較される閾値を示す閾値情報を前記第２のノードに通知する通知部をさらに備える、請求項２１〜２９のいずれか１項に記載の装置。
【請求項３１】
前記情報取得部は、前記第２のノードから、空間多重又はビームフォーミングに適した２つ以上の端末装置のセットを示す端末セット情報を取得し、
前記制御部は、前記端末セット情報に基づいて、前記２つ以上の端末装置についてのスケジューリングを行う、
請求項２１〜３０のいずれか１項に記載の装置。
【請求項３２】
前記情報取得部は、前記第２のノードから、前記２つ以上の端末装置のチャネル情報間の直交性の程度を示す直交性指標、前記２つ以上の端末装置の前記セットについての補正されたチャネル品質指標、又は、前記２つ以上の端末装置の前記セットについての補正されたチャネル情報、若しくは当該補正されたチャネル情報に対応するチャネル情報候補を示す指示情報を取得し、
前記制御部は、前記直交性指標、前記補正されたチャネル品質指標、又は、前記補正されたチャネル情報若しくは前記指示情報にさらに基づいて、前記２つ以上の端末装置についてのスケジューリングを行う、
請求項３１に記載の装置。
【請求項３３】
前記装置は、前記第２のノードに接続される第１のノード、又は当該第１のノードのためのモジュールである、請求項２１〜３２のいずれか１項に記載の装置。
【請求項３４】
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信する送信処理部と、
前記指示情報に基づいて前記第１のノードにより行われるスケジューリングの結果に基づいて前記第２のノードにより送信されるダウンリンク信号を受信する受信処理部と、
を備える装置。
【請求項３５】
前記第１のノード及び前記第２のノードは、無線アクセスネットワークのノードであり、当該無線アクセスネットワークの処理を分担する、請求項２０、３３及び３４のいずれか１項に記載の装置。
【請求項３６】
前記第１のノードは、前記無線アクセスネットワークのプロトコルレイヤにおけるより上位の処理を行うノードであり、
前記第２のノードは、前記無線アクセスネットワークのプロトコルレイヤにおけるより下位の処理を行うノードである、
請求項３５に記載の装置。
【請求項３７】
前記第２のノードは、前記第１のノードから離れて位置する、請求項２０、３３、３４、３５及び３６のいずれか１項に記載の装置。
【請求項３８】
第１のノードと、
前記第１のノードに接続される第２のノードと、
を含み、
前記第２のノードは、
端末装置により送信されるアップリンク信号に基づいてチャネル推定を行うことにより、前記端末装置についてのチャネル情報を生成し、
予め定められたチャネル情報候補のグループの中から、生成された前記チャネル情報に対応するチャネル情報候補を選択し、
選択された前記チャネル情報候補を示す指示情報を前記第１のノードに通知し、
前記第１のノードは、
前記第２のノードから前記指示情報を取得し、
前記指示情報に基づいて前記端末装置についてのスケジューリングを行う、
システム。
【請求項３９】
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
を含む方法。
【請求項４０】
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
をプロセッサに実行させるためのプログラム。
【請求項４１】
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
をプロセッサに実行させるためのプログラムを記録した読み取り可能な記録媒体。
【請求項４２】
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得することと、
前記指示情報に基づいて、前記端末装置についてのスケジューリングを行うことと、
を含む方法。
【請求項４３】
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得することと、
前記指示情報に基づいて、前記端末装置についてのスケジューリングを行うことと、
をプロセッサに実行させるためのプログラム。
【請求項４４】
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得することと、
前記指示情報に基づいて、前記端末装置についてのスケジューリングを行うことと、
をプロセッサに実行させるためのプログラムを記録した読み取り可能な記録媒体。
【請求項４５】
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信することと、
前記指示情報に基づいて前記第１のノードにより行われるスケジューリングの結果に基づいて前記第２のノードにより送信されるダウンリンク信号を受信することと、
を含む方法。
【請求項４６】
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信することと、
前記指示情報に基づいて前記第１のノードにより行われるスケジューリングの結果に基づいて前記第２のノードにより送信されるダウンリンク信号を受信することと、
をプロセッサに実行させるためのプログラム。
【請求項４７】
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信することと、
前記指示情報に基づいて前記第１のノードにより行われるスケジューリングの結果に基づいて前記第２のノードにより送信されるダウンリンク信号を受信することと、
をプロセッサに実行させるためのプログラムを記録した読み取り可能な記録媒体。
【請求項４８】
第１のノードに接続される第２のノードにおいて、
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
選択された前記チャネル情報候補を示す指示情報を前記第１のノードに通知することと、
前記第１のノードにおいて、
前記第２のノードから前記指示情報を取得することと、
前記指示情報に基づいて前記端末装置についてのスケジューリングを行うことと、
を含む方法。
【請求項４９】
端末装置により送信されるアップリンク信号に基づいてチャネル推定を行うことにより、前記端末装置についてのチャネル情報を生成し、前記端末装置により送信されるアップリンク信号に基づいてチャネル品質を測定することにより、前記端末装置についてのチャネル品質指標を生成する情報生成部と、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択する選択部と、
を備える装置。
【請求項５０】
端末装置により送信されるアップリンク信号に基づいてチャネル推定を行うことにより、前記端末装置についてのチャネル情報を生成することと、
前記端末装置により送信されるアップリンク信号に基づいてチャネル品質を測定することにより、前記端末装置についてのチャネル品質指標を生成することと、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択することと、
を含む方法。
【請求項５１】
端末装置により送信されるアップリンク信号に基づいてチャネル推定を行うことにより、前記端末装置についてのチャネル情報を生成することと、
前記端末装置により送信されるアップリンク信号に基づいてチャネル品質を測定することにより、前記端末装置についてのチャネル品質指標を生成することと、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択することと、
をプロセッサに実行させるためのプログラム。
【請求項５２】
端末装置により送信されるアップリンク信号に基づいてチャネル推定を行うことにより、前記端末装置についてのチャネル情報を生成することと、
前記端末装置により送信されるアップリンク信号に基づいてチャネル品質を測定することにより、前記端末装置についてのチャネル品質指標を生成することと、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択することと、
をプロセッサに実行させるためのプログラムを記録した読み取り可能な記録媒体。
【請求項５３】
複数の端末装置の各々により送信されるアップリンク信号に基づいてチャネル推定を行うことにより、前記複数の端末装置の各々についてのチャネル情報を生成する情報生成部と、
前記複数の端末装置の各々についての前記チャネル情報に基づいて、前記複数の端末装置のうちの、空間多重又はビームフォーミングに適した２つ以上の端末装置のセットを選択する選択部と、
前記２つ以上の端末装置の前記セットを示す端末セット情報を、前記端末装置についてのスケジューリングを行う第１のノードに通知する通知部と、
を備える装置。
【請求項５４】
複数の端末装置の各々により送信されるアップリンク信号に基づいてチャネル推定を行うことにより、前記複数の端末装置の各々についてのチャネル情報を生成することと、
前記複数の端末装置の各々についての前記チャネル情報に基づいて、前記複数の端末装置のうちの、空間多重又はビームフォーミングに適した２つ以上の端末装置のセットを選択することと、
前記２つ以上の端末装置の前記セットを示す端末セット情報を、前記端末装置についてのスケジューリングを行う第１のノードに通知することと、
を含む方法。
【請求項５５】
複数の端末装置の各々により送信されるアップリンク信号に基づいてチャネル推定を行うことにより、前記複数の端末装置の各々についてのチャネル情報を生成することと、
前記複数の端末装置の各々についての前記チャネル情報に基づいて、前記複数の端末装置のうちの、空間多重又はビームフォーミングに適した２つ以上の端末装置のセットを選択することと、
前記２つ以上の端末装置の前記セットを示す端末セット情報を、前記端末装置についてのスケジューリングを行う第１のノードに通知することと、
をプロセッサに実行させるためのプログラム。
【請求項５６】
複数の端末装置の各々により送信されるアップリンク信号に基づいてチャネル推定を行うことにより、前記複数の端末装置の各々についてのチャネル情報を生成することと、
前記複数の端末装置の各々についての前記チャネル情報に基づいて、前記複数の端末装置のうちの、空間多重又はビームフォーミングに適した２つ以上の端末装置のセットを選択することと、
前記２つ以上の端末装置の前記セットを示す端末セット情報を、前記端末装置についてのスケジューリングを行う第１のノードに通知することと、
をプロセッサに実行させるためのプログラムを記録した読み取り可能な記録媒体。
【請求項５７】
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得する情報取得部と、
前記端末セット情報に基づいて、前記２つ以上の端末装置についてのスケジューリングを行う制御部と、
を備える装置。
【請求項５８】
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得することと、
前記端末セット情報に基づいて、前記２つ以上の端末装置についてのスケジューリングを行うことと、
を含む方法。
【請求項５９】
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得することと、
前記端末セット情報に基づいて、前記２つ以上の端末装置についてのスケジューリングを行うことと、
をプロセッサに実行させるためのプログラム。
【請求項６０】
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得することと、
前記端末セット情報に基づいて、前記２つ以上の端末装置についてのスケジューリングを行うことと、
をプロセッサに実行させるためのプログラムを記録した読み取り可能な記録媒体。
【請求項６１】
端末装置についてのスケジューリングを行う制御部と、
前記スケジューリングの結果として生成されるスケジューリング情報を、前記端末装置へダウンリンク信号を送信する第２のノードに通知する通知部と、
を備え、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
装置。
【請求項６２】
端末装置についてのスケジューリングを行うことと、
前記スケジューリングの結果として生成されるスケジューリング情報を、前記端末装置へダウンリンク信号を送信する第２のノードに通知することと、
を含み、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
方法。
【請求項６３】
端末装置についてのスケジューリングを行うことと、
前記スケジューリングの結果として生成されるスケジューリング情報を、前記端末装置へダウンリンク信号を送信する第２のノードに通知することと、
をプロセッサに実行させるためのプログラムであり、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
プログラム。
【請求項６４】
端末装置についてのスケジューリングを行うことと、
前記スケジューリングの結果として生成されるスケジューリング情報を、前記端末装置へダウンリンク信号を送信する第２のノードに通知することと、
をプロセッサに実行させるためのプログラムを記録した読み取り可能な記録媒体であり、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
記録媒体。
【請求項６５】
端末装置についてのスケジューリングを行う第１のノードから、当該スケジューリングの結果として生成されるスケジューリング情報を取得する情報取得部と、
前記スケジューリング情報に基づいてダウンリンク信号を送信する送信処理部と、
を備え、
前記スケジューリング情報は、リソース割当て情報を含み、
前記リソース割当て情報は、前記端末装置に割り当てられる無線リソースのパターンを示す、
装置。
【請求項６６】
端末装置についてのスケジューリングを行う第１のノードから、当該スケジューリングの結果として生成されるスケジューリング情報を取得することと、
前記スケジューリング情報に基づいてダウンリンク信号を送信することと、
を含み、
前記スケジューリング情報は、リソース割当て情報を含み、
前記リソース割当て情報は、前記端末装置に割り当てられる無線リソースのパターンを示す、
方法。
【請求項６７】
端末装置についてのスケジューリングを行う第１のノードから、当該スケジューリングの結果として生成されるスケジューリング情報を取得することと、
前記スケジューリング情報に基づいてダウンリンク信号を送信することと、
をプロセッサに実行させるためのプログラムであり、
前記スケジューリング情報は、リソース割当て情報を含み、
前記リソース割当て情報は、前記端末装置に割り当てられる無線リソースのパターンを示す、
プログラム。
【請求項６８】
端末装置についてのスケジューリングを行う第１のノードから、当該スケジューリングの結果として生成されるスケジューリング情報を取得することと、
前記スケジューリング情報に基づいてダウンリンク信号を送信することと、
をプロセッサに実行させるためのプログラムを記録した読み取り可能な記録媒体であり、
前記スケジューリング情報は、リソース割当て情報を含み、
前記リソース割当て情報は、前記端末装置に割り当てられる無線リソースのパターンを示す、
記録媒体。
【請求項６９】
前記装置は、前記第１のノードに接続される第２のノード、又は当該第２のノードのためのモジュールである、請求項４９、５３及び６５のいずれか１項に記載の装置。
【請求項７０】
前記装置は、前記第２のノードに接続される第１のノード、又は当該第１のノードのためのモジュールである、請求項５７又は６１に記載の装置。
【発明の詳細な説明】
【技術分野】
【０００１】
本発明は、無線アクセスネットワークに関連する装置及びシステムに関する。
【背景技術】
【０００２】
３ＧＰＰ（3rd  Generation  Partnership  Project）のＬＴＥ（Loge  Term  Evolution）／ＬＴＥ−Ａｄｖａｎｃｅｄでは、ｅＮＢ（evolved  Node  B）が無線アクセスネットワーク（Radio  Access  Network：ＲＡＮ）を構成し、ＵＥ（User  Equipment）との無線通信を行う。非特許文献１に定められているように、ｅＮＢは、ＵＥとの無線通信のために、レイヤ１である物理層（Physical  Layer）、並びに、レイヤ２であるＭＡＣ（Media  Access  Control）、ＲＬＣ（Radio  Link  Control）及びＰＤＣＰ（Packet  Data  Convergence  Protocol）の処理を行う。例えば、レイヤ１において生成され、レイヤ２において必要な情報は、レイヤ１からレイヤ２に提供される。具体的には、例えば、レイヤ２（具体的には、ＭＡＣ）のスケジューリングに必要な情報（例えば、チャネル情報）が、レイヤ１からレイヤ２に提供される。【０００３】
一方、次世代の通信システムにおいて、個々の通信エリアをカバーする複数のｅＮＢの代わりに、個々の通信エリアをカバーする複数のリモートノード（例えば、ＲＲＵ（Remote  Radio  Unit）と呼ばれ得る）とそれらに接続される集約ノード（例えば、ＢＢＵ（Baseband  Unit）と呼ばれ得る）とを配置することが、検討されている。このような配置では、リモートノードと集約ノードとが、ＲＡＮの処理を分担（share）する。一例として、リモートノードが物理層の処理を行い、集約ノードがレイヤ２の処理（例えば、スケジューリング等）を行い得る。
【先行技術文献】
【非特許文献】
【０００４】
【非特許文献１】3GPP  TS  36.300  V12.3.0  (2015-06)  3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  13)
【発明の概要】
【発明が解決しようとする課題】
【０００５】
上述したように、上記リモートノードと上記集約ノードとが、非特許文献１に示されるようなレイヤの処理を分担する場合には、上記リモートノードにより生成され、上記集約ノードの処理（例えば、スケジューリング）に必要な情報（例えば、チャネル情報）を、上記リモートノードが上記集約ノードに通知することになる。また、上記集約ノードにより生成され、上記リモートノードの処理（例えば、無線リソースへの信号のマッピング）に必要な情報（例えば、スケジューリング情報）を、上記集約ノードが上記リモートノードに通知することになる。【０００６】
しかし、上記リモートノードと上記集約ノードとの間の伝送路（transmission  line）（例えば、光ファイバ回線）の帯域は限られているので、上記リモートノードと上記集約ノードとが互いに送受信する情報の量が多ければ、上記帯域が逼迫する可能性がある。【０００７】
本発明の目的は、無線アクセスネットワークの処理を分担する一方のノードから他方のノードへ送信される情報の量をより少なくすることを可能にすることにある。
【課題を解決するための手段】
【０００８】
本発明の第１の装置は、端末装置により送信されるアップリンク信号に基づいてチャネル推定を行うことにより、上記端末装置についてのチャネル情報を生成する情報生成部と、予め定められたチャネル情報候補のグループの中から、生成された上記チャネル情報に対応するチャネル情報候補を選択する選択部と、上記端末装置についてのスケジューリングを行う第１のノードに、選択された上記チャネル情報候補を示す指示情報を通知する通知部と、を備える。【０００９】
本発明の第２の装置は、端末装置により送信されるアップリンク信号に基づいてチャネル推定を行うことにより上記端末装置についてのチャネル情報を生成し、予め定められたチャネル情報候補のグループの中から、生成された上記チャネル情報に対応するチャネル情報候補を選択する第２のノードから、選択された上記チャネル情報候補を示す指示情報を取得する情報取得部と、上記指示情報に基づいて、上記端末装置についてのスケジューリングを行う制御部と、を備える。【００１０】
本発明の第３の装置は、アップリンク信号に基づいてチャネル推定を行うことによりチャネル情報を生成し、予め定められたチャネル情報候補のグループの中から、生成された上記チャネル情報に対応するチャネル情報候補を選択し、選択された上記チャネル情報候補を示す指示情報を第１のノードに通知する第２のノードへ、上記アップリンク信号を送信する送信処理部と、上記指示情報に基づいて上記第１のノードにより行われるスケジューリングの結果に基づいて上記第２のノードにより送信されるダウンリンク信号を受信する受信処理部と、を備える。【００１１】
本発明のシステムは、第１のノードと、上記第１のノードに接続される第２のノードと、を含み、上記第２のノードは、端末装置により送信されるアップリンク信号に基づいてチャネル推定を行うことにより、上記端末装置についてのチャネル情報を生成し、予め定められたチャネル情報候補のグループの中から、生成された上記チャネル情報に対応するチャネル情報候補を選択し、選択された上記チャネル情報候補を示す指示情報を上記第１のノードに通知し、上記第１のノードは、上記第２のノードから上記指示情報を取得し、上記指示情報に基づいて上記端末装置についてのスケジューリングを行う。
【発明の効果】
【００１２】
本発明によれば、無線アクセスネットワークの処理を分担する一方のノードから他方のノードへ送信される情報の量をより少なくすることが可能になる。なお、本発明により、当該効果の代わりに、又は当該効果とともに、他の効果が奏されてもよい。
【図面の簡単な説明】
【００１３】
【図１】ＬＴＥ／ＬＴＥ−ＡｄｖａｎｃｅｄのＲＡＮの例を説明するための説明図である。
【図２】ｅＮＢにおける概略的な処理の例を説明するための説明図である。
【図３】本発明の実施形態のシステムの概略的な構成の一例を示す説明図である。
【図４】リモートノードと集約ノードとの間における処理の分担の例を説明するための説明図である。
【図５】第１の実施形態のリモートノードの概略的な構成の例を示すブロック図である。
【図６】第１の実施形態の集約ノードの概略的な構成の例を示すブロック図である。
【図７】第１の実施形態の端末装置の概略的な構成の例を示すブロック図である。
【図８】第１の実施形態の第１の技術的特徴に係る処理の概略的な流れの一例を示すシーケンス図である。
【図９】第１の実施形態の第２の技術的特徴に係る第１の処理の概略的な流れの一例を示すシーケンス図である。
【図１０】第１の実施形態の第２の技術的特徴に係る第２の処理の概略的な流れの一例を示すシーケンス図である。
【図１１】第１の実施形態の第３の技術的特徴に係る処理の概略的な流れの一例を示すシーケンス図である。
【図１２】第１の実施形態の第４の技術的特徴に係る処理の概略的な流れの一例を示すシーケンス図である。
【図１３】第２の実施形態のリモートノードの概略的な構成の例を示すブロック図である。
【図１４】第２の実施形態の集約ノードの概略的な構成の例を示すブロック図である。
【図１５】第２の実施形態の端末装置の概略的な構成の例を示すブロック図である。
【図１６】第２の実施形態に係る処理の概略的な流れの一例を示すシーケンス図である。
【発明を実施するための形態】
【００１４】
以下、添付の図面を参照して本発明の実施形態を詳細に説明する。なお、本明細書及び図面において、同様に説明されることが可能な要素については、同一の符号を付することにより重複説明が省略され得る。
【００１５】
説明は、以下の順序で行われる。
１.関連技術
２.本発明の実施形態の概要
３.システムの構成例
４.第１の実施形態
４．１．リモートノードの構成例
４．２．集約ノードの構成例
４．３．端末装置の構成例
４．４．技術的特徴
５.第２の実施形態
５．１．リモートノードの構成例
５．２．集約ノードの構成例
５．３．端末装置の構成例
５．４．技術的特徴
【００１６】
＜＜１．関連技術＞＞
図１及び図２を参照して、ＬＴＥ／ＬＴＥ−ＡｄｖａｎｃｅｄのＲＡＮの概略を説明する。
【００１７】
図１は、ＬＴＥ／ＬＴＥ−ＡｄｖａｎｃｅｄのＲＡＮの例を説明するための説明図である。図１を参照すると、ｅＮＢ７０及びＵＥ９０が示されている。例えば、各ｅＮＢ７０は、自らの通信エリア８０をカバーし、自らの通信エリア８０内に位置するＵＥ９０との無線通信を行う。通信エリア８０は、セル又はカバレッジエリアとも呼ばれる。
【００１８】
図２は、ｅＮＢにおける概略的な処理の例を説明するための説明図である。図２を参照すると、ｅＮＢ７０及びＵＥ９０が示されている。例えば、ｅＮＢ７０は、アンテナ受信部７１、アンテナ送信部７３、物理層受信処理部７５、物理層送信処理部７７、及びＬ２処理部７９を備える。
【００１９】
アンテナ受信部７１は、ＵＥにより送信されるアップリンク信号を受信し、アナログ信号をディジタル信号に変換し、当該ディジタル信号を物理層受信処理部７５に提供する。物理層受信処理部７５は、物理層の処理を行い、アップリンクのデータ及び制御情報をＬ２処理部７９に提供する。また、例えば、物理層受信処理部７５は、物理層の当該処理（例えば、チャネル推定及び復調処理等）においてチャネル情報及びチャネル品質指標（Channel  Quality  Indicator：ＣＱＩ）等の測定情報を算出し、当該測定情報をＬ２処理部７９に通知する。当該チャネル情報は、チャネル推定値のセットであり、例えば、チャネルベクトル又はチャネル行列である。
【００２０】
Ｌ２処理部７９は、スケジューラ（例えば、ＰＦ（Proportional  Fair）スケジューラ）を含み、上記チャネル情報及び上記ＣＱＩに基づいて、スケジューリングを行う。より具体的には、例えば、Ｌ２処理部７９は、ＵＥごとに、最適な無線リソースの割当て、適応変調符号化（Adaptive  Modulation  Coding：ＡＭＣ）、及び空間多重又はビームフォーミングの重みを決定する。そして、Ｌ２処理部７９は、ダウンリンクのデータ及び制御情報を物理層送信処理部７７に提供するとともに、物理層送信処理部７７に必要なスケジューリング情報（上記スケジューリングの結果）を物理層送信処理部７７に通知する。
【００２１】
物理層送信処理部７７は、上記スケジューリング情報に基づいて、ダウンリンク信号の送信処理を行う。具体的には、物理層送信処理部７７は、変調及び符号化、無線リソースへの信号のマッピング、及び、空間多重化又はビームフォーミングの重みの乗算等を行う。そして、物理層送信処理部７７は、上記送信処理の結果であるディジタル信号をアンテナ送信部７３に提供する。アンテナ送信部７３は、当該ディジタル信号をアナログ信号に変換し、ダウンリンク信号を送信する。
【００２２】
＜＜２．本発明の実施形態の概要＞＞
続いて、本発明の実施形態の概要を説明する。
【００２３】
（１）技術的課題
次世代の通信システムにおいて、個々の通信エリアをカバーする複数のｅＮＢの代わりに、個々の通信エリアをカバーする複数のリモートノード（例えば、ＲＲＵと呼ばれ得る）とそれらに接続される集約ノード（例えば、ＢＢＵと呼ばれ得る）とを配置することが、検討されている。このような配置では、リモートノードと集約ノードとが、ＲＡＮの処理を分担（share）する。一例として、リモートノードが物理層の処理を行い、集約ノードがレイヤ２の処理（例えば、スケジューリング等）を行い得る。
【００２４】
（ａ）第１の技術的課題
上述したように、上記リモートノードと上記集約ノードとがレイヤの処理を分担する場合には、上記リモートノードにより生成され、上記集約ノードの処理（例えば、スケジューリング）に必要な情報（例えば、チャネル情報）を、上記リモートノードが上記集約ノードに通知することになる。また、上記集約ノードにより生成され、上記リモートノードの処理（例えば、無線リソースへの信号のマッピング）に必要な情報（例えば、スケジューリング情報）を、上記集約ノードが上記リモートノードに通知することになる。
【００２５】
しかし、上記リモートノードと上記集約ノードとの間の伝送路（例えば、光ファイバ回線）の帯域は限られているので、上記リモートノードと上記集約ノードとが互いに送受信する情報の量が多ければ、上記帯域が逼迫する可能性がある。
【００２６】
よって、集約ノードの処理を分担する一方のノードから他方のノードへ送信される情報の量をより少なくすることが望ましい。
【００２７】
（ｂ）第２の技術的課題
上述したように、上記リモートノードと上記集約ノードとがレイヤの処理を分担したとしても、例えば上記集約ノードは複数のリモートノードと接続されるので、上記集約ノードにおける処理の量は非常に多くなり得る。とりわけ、上記集約ノードにおけるスケジューリング処理の処理量は非常に多くなり得る。例えば、空間多重又はビームフォーミングが適用される場合には、上記スケジューリング処理の処理量は膨大になる可能性がある。
【００２８】
よって、集約ノードにおけるスケジューリング処理を軽減することが望ましい。
【００２９】
（２）技術的特徴
本発明の実施形態に係る第１の〜第４の技術的特徴を説明する。
【００３０】
（ａ）第１の技術的特徴
本発明の実施形態では、例えば、リモートノードは、チャネル推定を行うことにより生成したチャネル情報そのものを集約ノードに通知せずに、当該チャネル情報に対応するチャネル情報候補を示す指示情報（例えば、チャネル情報候補のインデックス）を集約ノードに通知する。そして、当該集約ノードは、当該指示情報に基づいてスケジューリングを行う。
【００３１】
これにより、例えば、リモートノードから集約ノードへ送信される情報の量がより少なくなる。即ち、上述した第１の技術的課題が解決され得る。
【００３２】
（ｂ）第２の技術的特徴
本発明の実施形態では、例えば、リモートノードは、端末装置についてのチャネル品質指標（ＣＱＩ）に基づいて、当該端末装置についてのチャネル情報（又は当該チャネル情報に対応するチャネル情報候補を示す指示情報）を集約ノードに通知するか否かを選択する。より具体的には、例えば、上記リモートノードは、上記ＣＱＩが閾値よりも大きければ、上記チャネル情報（又は上記指示情報）を上記集約ノードに通知することを選択する。
【００３３】
これにより、例えば、集約ノードへのチャネル情報（又は指示情報）の通知の機会が限定される。そのため、例えば、リモートノードから集約ノードへ送信される情報の量がより少なくなる。即ち、上述した第１の技術的課題が解決され得る。
【００３４】
（ｃ）第３の技術的特徴
本発明の実施形態では、例えば、リモートノードは、複数の端末装置についてのチャネル情報に基づいて、当該複数の端末装置のうちの、空間多重又はビームフォーミングに適した端末装置３００のセット（一例として、端末装置３００のペア）を選択する。そして、上記リモートノードは、端末装置３００の当該セットを示す端末セット情報（一例として、ペアリング情報）を集約ノードに通知する。そして、当該集約ノードは、当該端末セット情報に基づいてスケジューリングを行う。
【００３５】
これにより、例えば、リモートノードに処理（端末装置のセットの選択（例えば、端末装置のペアリング）の処理）が分散し、集約ノードにおけるスケジューリング処理が軽減される。即ち、上述した第２の技術的課題が解決され得る。
【００３６】
（ｄ）第４の技術的特徴
本発明の実施形態では、例えば、集約ノードは、ダウンリンク送信を送信するためにリモートノードにより使用されるスケジューリング情報を当該リモートノードに通知する。とりわけ、当該スケジューリング情報は、リソース割当て情報を含み、当該リソース割当て情報は、端末装置に割り当てられる無線リソースそのものを個別に示すのではなく、当該無線リソースのパターンを示す。
【００３７】
これにより、例えば、集約ノードからリモートノードへ送信される情報の量が少なくなる。即ち、上述した第１の技術的課題が解決され得る。
【００３８】
なお、上述した技術的特徴は具体的な例であり、当然ながら、本発明の実施形態の技術的特徴は、上述した技術的特徴に限定されない。
【００３９】
＜＜３．システムの構成例＞＞
図３を参照して、本発明の実施形態のシステム１の構成の例を説明する。図３は、本発明の実施形態のシステム１の概略的な構成の一例を示す説明図である。図３を参照すると、システム１は、リモートノード１００、集約ノード２００及び端末装置３００を含む。リモートノード１００及び集約ノード２００は、無線アクセスネットワーク（ＲＡＮ）のノードであり、例えば、集約ノード２００が、当該無線アクセスネットワーク（ＲＡＮ）の第１のノード（第１の無線アクセスネットワークノード）であり、リモートノード１００が、当該無線アクセスネットワーク（ＲＡＮ）の第２のノード（第２の無線アクセスネットワークノード）である。リモートノード１００及び集約ノード２００は、伝送路２０（例えば、光ファイバ回線）を介して通信する。上記無線アクセスネットワークは、ＴＤＤ（Time  Division  Duplex）で動作してもよく、ＦＤＤ（Frequency  Division  Duplex）で動作してもよい。
【００４０】
（１）リモートノード１００
リモートノード１００は、自らの通信エリア１０をカバーし、自らの通信エリア１０内に位置する端末装置３００との無線通信を行う。通信エリア１０は、セル又はカバレッジエリアとも呼ばれる。リモートノード１００は、端末装置３００との無線通信のために、無線アクセスネットワーク（ＲＡＮ）のプロトコルレイヤにおけるより下位の処理を行う。一例として、端末装置３００は、レイヤ１（例えば、物理層）の処理を行う。
【００４１】
例えば、リモートノード１００は、集約ノード２００から離れて位置する。ただし、本発明の実施形態はこの例に限られず、リモートノード１００が集約ノード２００の近傍に位置することがあってもよい。
【００４２】
リモートノード１００は、ＲＲＵ（Remote  Radio  Unit）、ＲＲＨ（Remote  Radio  Head）又はＲＵ（Radio  Unit）と呼ばれてもよく、あるいは、他の名称で呼ばれてもよい。
【００４３】
（２）集約ノード２００
集約ノード２００は、リモートノード１００を介して、リモートノード１００の通信エリア１０内に位置する端末装置３００との無線通信を行う。集約ノード２００は、端末装置３００との無線通信のために、無線アクセスネットワーク（ＲＡＮ）のプロトコルレイヤにおけるより上位の処理を行う。一例として、集約ノード２００は、レイヤ２（例えば、ＭＡＣ、ＲＬＣ及びＰＤＣＰ）並びにレイヤ３（例えば、ＲＲＣ（Radio  Resource  Control）等）等の処理を行う。
【００４４】
図３に示されるように、例えば、集約ノード２００は、複数のリモートノード１００と接続される。即ち、複数の通信エリア１０についての処理（又は機能）が集約ノード２００に集約（centralize）される。あるいは、集約ノード２００は、１つのリモートノード１００のみと接続されてもよい。
【００４５】
集約ノード２００は、ＢＢＵ（Baseband  Unit）又はＤＵ（Digital  Unit）と呼ばれてもよく、協調（coordinated/collaborative）ノード又はクラウド（cloud）ノードと呼ばれてもよく、集約基地局、協調基地局又はクラウド基地局と呼ばれてもよく、他の名称で呼ばれてもよい。
【００４６】
（３）端末装置３００
端末装置３００は、上記無線アクセスネットワークとの無線通信を行う。例えば、端末装置３００は、リモートノード１００の通信エリア１０内に位置する場合に、リモートノード１００及び集約ノード２００との無線通信を行う。
【００４７】
（４）リモートノード１００と集約ノード２００との間における処理の分担の例
リモートノード１００及び集約ノード２００は、無線アクセスネットワーク（ＲＡＮ）のノードであり、当該無線アクセスネットワーク（ＲＡＮ）の処理を分担（share）する。上述したように、例えば、集約ノード２００は、上記無線アクセスネットワーク（ＲＡＮ）のプロトコルレイヤにおけるより上位の処理を行い、リモートノード１００は、上記無線アクセスネットワーク（ＲＡＮ）のプロトコルレイヤにおけるより下位の処理を行う。一例として、集約ノード２００は、レイヤ２及びレイヤ３等の処理を行い、リモートノード１００は、レイヤ１の処理を行う。
【００４８】
図４は、リモートノード１００と集約ノード２００との間における処理の分担の例を説明するための説明図である。図４を参照すると、リモートノード１００、集約ノード２００及び端末装置３００が示されている。例えば、リモートノード１００は、アンテナ受信部１０１、アンテナ送信部１０３、物理層受信処理部１０５及び物理層送信処理部１０７を備え、集約ノード２００は、Ｌ２処理部２０１を備える。
【００４９】
リモートノード１００において、アンテナ受信部１０１は、端末装置３００により送信されるアップリンク信号を受信し、アナログ信号をディジタル信号に変換し、当該ディジタル信号を物理層受信処理部１０５に提供する。物理層受信処理部１０５は、物理層の処理を行う。そして、リモートノード１００は、伝送路２０を介してアップリンクのデータ及び制御情報を集約ノード２００へ送信する。
【００５０】
集約ノード２００において、Ｌ２処理部２０１は、レイヤ２（例えば、ＭＡＣ、ＲＬＣ及びＰＤＣＰ）の受信処理及び送信処理を行う。例えば、Ｌ２処理部２０１は、ダウンリンク及びアップリンクのスケジューリングを行う。集約ノード２００は、ダウンリンクのデータ及び制御情報をリモートノード１００へ送信する。
【００５１】
リモートノード１００において、物理層送信処理部１０７は、ダウンリンク信号の送信処理を行う。そして、物理層送信処理部１０７は、上記送信処理の結果であるディジタル信号をアンテナ送信部１０３に提供する。アンテナ送信部１０３は、当該ディジタル信号をアナログ信号に変換し、ダウンリンク信号を送信する。
【００５２】
なお、図４に示される処理の分担は、あくまで一例であり、リモートノード１００と集約ノード２００との間における他の分担が適用されてもよい。例えば、レイヤ１の一部の処理が、集約ノード２００により行われてもよく、レイヤ２の一部の処理が、リモートノード１００により行われてもよい。
【００５３】
以上、本発明の実施形態のシステム１の構成の例を説明した。なお、リモートノード１００及び集約ノード２００を含む上記無線アクセスネットワーク（ＲＡＮ）は、Ｃ−ＲＡＮと呼ばれ得る。Ｃ−ＲＡＮのうちの「Ｃ」は、「Centralized」、「Coordinated」、「Collaborative」及び／又は「Cloud」を意味し得る。
【００５４】
＜＜４．第１の実施形態＞＞
続いて、図５〜図１２を参照して、本発明の第１の実施形態を説明する。
【００５５】
＜４．１．リモートノードの構成例＞
まず、図５を参照して、第１の実施形態のリモートノード１００の構成の例を説明する。図５は、第１の実施形態のリモートノード１００の概略的な構成の例を示すブロック図である。図５を参照すると、リモートノード１００は、無線通信部１１０、伝送路通信部１２０、記憶部１３０及び処理部１４０を備える。
【００５６】
無線通信部１１０は、信号を無線で送受信する。例えば、無線通信部１１０は、端末装置３００からの信号を受信し、端末装置３００への信号を送信する。
【００５７】
伝送路通信部１２０は、伝送路２０を介して集約ノード２００へ信号を送信し、伝送路２０を介して集約ノード２００から信号を受信する。
【００５８】
記憶部１３０は、リモートノード１００の動作のためのプログラム及びパラメータ、並びに様々なデータを、一時的に又は恒久的に記憶する。
【００５９】
処理部１４０は、リモートノード１００の様々な機能を提供する。処理部１４０は、情報生成部１４１、選択部１４３、通知部１４５、情報取得部１４７及び送信処理部１４９を含む。なお、処理部１４０は、これらの構成要素以外の他の構成要素をさらに含み得る。即ち、処理部１４０は、これらの構成要素の動作以外の動作も行い得る。
【００６０】
情報生成部１４１、選択部１４３、通知部１４５、情報取得部１４７及び送信処理部１４９の具体的な動作は、後に詳細に説明する。
【００６１】
無線通信部１１０は、アンテナ及び高周波（Radio  Frequency：ＲＦ）回路などを含んでもよい。伝送路通信部１２０は、伝送路２０に適したインタフェース装置などを含んでもよい。記憶部１３０は、メモリ（例えば、不揮発性メモリ及び／若しくは揮発性メモリ）並びに／又はハードディスクなどを含んでもよい。処理部１４０は、ベースバンド（Baseband：ＢＢ）プロセッサ及び／又は他のプロセッサなどを含んでもよい。
【００６２】
なお、図４を参照して説明したアンテナ受信部１０１及びアンテナ送信部１０３は、無線通信部１１０に対応し得る。また、図４を参照して説明した物理層受信処理部１０５及び物理層送信処理部１０７は、処理部１４０に対応し得る。
【００６３】
＜４．２．集約ノードの構成例＞
次に、図６を参照して、第１の実施形態の集約ノード２００の構成の例を説明する。図６は、第１の実施形態の集約ノード２００の概略的な構成の例を示すブロック図である。図６を参照すると、集約ノード２００は、伝送路通信部２１０、記憶部２２０及び処理部２３０を備える。
【００６４】
伝送路通信部２１０は、伝送路２０を介してリモートノード１００から信号を受信し、伝送路２０を介してリモートノード１００へ信号を送信する。
【００６５】
記憶部２２０は、集約ノード２００の動作のためのプログラム及びパラメータ、並びに様々なデータを、一時的に又は恒久的に記憶する。
【００６６】
処理部２３０は、集約ノード２００の様々な機能を提供する。処理部２３０は、情報取得部２３１、制御部２３３及び通知部２３５を含む。なお、処理部２３０は、これらの構成要素以外の他の構成要素をさらに含み得る。即ち、処理部２３０は、これらの構成要素の動作以外の動作も行い得る。
【００６７】
情報取得部２３１、制御部２３３及び通知部２３５の具体的な動作は、後に詳細に説明する。
【００６８】
伝送路通信部２１０は、伝送路２０に適したインタフェース装置などを含んでもよい。記憶部２２０は、メモリ（例えば、不揮発性メモリ及び／若しくは揮発性メモリ）並びに／又はハードディスクなどを含んでもよい。処理部２３０は、ベースバンド（ＢＢ）プロセッサ及び／又は他のプロセッサなどを含んでもよい。
【００６９】
なお、図４を参照して説明したＬ２処理部２０１は、処理部２３０に対応し得る。
【００７０】
＜４．３．端末装置の構成例＞
次に、図７を参照して、第１の実施形態の端末装置３００の構成の例を説明する。図７は、第１の実施形態の端末装置３００の概略的な構成の例を示すブロック図である。図７を参照すると、端末装置３００は、無線通信部３１０、記憶部３２０及び処理部３３０を備える。
【００７１】
無線通信部３１０は、信号を無線で送受信する。例えば、無線通信部３１０は、リモートノード１００からの信号を受信し、リモートノード１００への信号を送信する。
【００７２】
記憶部３２０は、端末装置３００の動作のためのプログラム及びパラメータ、並びに様々なデータを、一時的に又は恒久的に記憶する。
【００７３】
処理部３３０は、端末装置３００の様々な機能を提供する。処理部３３０は、送信処理部３３１及び受信処理部３３３を含む。なお、処理部３３０は、これらの構成要素以外の他の構成要素をさらに含み得る。即ち、処理部３３０は、これらの構成要素の動作以外の動作も行い得る。
【００７４】
送信処理部３３１及び受信処理部３３３の具体的な動作は、後に詳細に説明する。
【００７５】
無線通信部３１０は、アンテナ及び高周波（ＲＦ）回路などを含んでもよい。記憶部３２０は、メモリ（例えば、不揮発性メモリ及び／若しくは揮発性メモリ）並びに／又はハードディスクなどを含んでもよい。処理部３３０は、ベースバンド（ＢＢ）プロセッサ及び／又は他のプロセッサなどを含んでもよい。
【００７６】
＜４．４．技術的特徴＞
次に、図８〜図１２を参照して、第１の実施形態の技術的特徴を説明する。具体的には、第１の実施形態の第１〜第４の技術的特徴を説明する。第１の実施形態では、第１〜第４の技術的特徴のうちの１つが適用されてもよく、又は、第１〜第４の技術的特徴のうちの２つ以上の組合せが適用されてもよい。
【００７７】
（１）第１の技術的特徴
まず、図８を参照して、第１の実施形態の第１の技術的特徴を説明する。
【００７８】
端末装置３００（送信処理部３３１）は、アップリンク信号を送信する。
【００７９】
リモートノード１００（情報生成部１４１）は、上記アップリンク信号に基づいてチャネル推定を行うことにより、端末装置３００についてのチャネル情報を生成する。そして、リモートノード１００（選択部１４３）は、予め定められたチャネル情報候補（candidate  channel  information）のグループの中から、生成された上記チャネル情報に対応するチャネル情報候補を選択する。その後、リモートノード１００（通知部１４５）は、選択された上記チャネル情報候補を示す指示情報（indication  information）を集約ノード２００に通知する。
【００８０】
集約ノード２００（情報取得部２３１）は、上記指示情報を取得する。そして、集約ノード２００（制御部２３３）は、上記指示情報に基づいて、端末装置３００についてのスケジューリングを行う。
【００８１】
（ａ）アップリンク信号の送信
例えば、上記アップリンク信号は、端末装置３００により送信されるアップリンクリファレンス信号である。例えば、当該アップリンクリファレンス信号は、ＤＭＲＳ（Demodulation  Reference  Signal）である。あるいは、上記アップリンクリファレンス信号は、ＳＲＳ（Sounding  Reference  Signal）であってもよい。
【００８２】
（ｂ）チャネル情報の生成
上述したように、リモートノード１００（情報生成部１４１）は、上記アップリンク信号に基づいてチャネル推定を行うことにより、端末装置３００についてのチャネル情報を生成する。
【００８３】
例えば、上記チャネル情報は、チャネル推定により得られるチャネル推定値のセットである。
【００８４】
−チャネルベクトル
一例として、端末装置３００のアンテナ数（又はアンテナポート数）が１であり、リモートノード１００のアンテナ数（又はアンテナポート数）がＮである。この場合には、上記チャネル情報は、Ｎ個のチャネル推定値を含むチャネルベクトルである。チャネルベクトルｈは、例えば以下のように表される。
【００８５】
【数１】
2017038529.tif 000003
【００８６】
チャネルベクトルｈに含まれる成分ｈｉ（１≦ｉ≦Ｎ）は、リモートノード１００のアンテナｉについてのチャネル推定値である。
【００８７】
−チャネル行列
別の例として、端末装置３００のアンテナ数（又はアンテナポート数）がＭ（Ｍ≧２）であり、リモートノード１００のアンテナ数（又はアンテナポート数）がＮであってもよい。この場合には、上記チャネル情報は、Ｎ×Ｍ個のチャネル推定値を含むＮ×Ｍのチャネル行列であってもよい。チャネル行列Ｈは、例えば以下のように表される。
【００８８】
【数２】
2017038529.tif 000004
【００８９】
チャネル行列Ｈに含まれる成分ｈｉｊ（１≦ｉ≦Ｎ、１≦ｊ≦Ｍ）は、リモートノード１００のアンテナｉ及び端末装置３００のアンテナｊについてのチャネル推定値である。また、チャネルベクトルｈに含まれる列ｈｊ（１≦ｊ≦Ｍ）は、端末装置３００のアンテナｊについてのチャネルベクトルである。
【００９０】
（ｃ）チャネル情報候補の選択
上述したように、リモートノード１００（選択部１４３）は、予め定められたチャネル情報候補のグループの中から、生成された上記チャネル情報に対応するチャネル情報候補を選択する。
【００９１】
（ｃ−１）予め定められたチャネル情報候補のグループ
例えば、予め定められたチャネル情報候補の上記グループは、予め定められたチャネル情報候補を要素として含むコードブックである。
【００９２】
例えば、上記コードブックは、プリコーディング行列のフィードバックのために端末装置３００により使用される他のコードブックを、上記コードブックの一部として含む。即ち、上記コードブックは、上記他のコードブックよりもより多くの要素（即ち、より多くの候補（candidates））を含む。これは、リモートノード１００と集約ノード２００との間の帯域（即ち、伝送路２０の帯域）が、端末装置３００と無線アクセスネットワーク（ＲＡＮ）との間の帯域（即ち、無線の帯域）よりも広く、より多くの情報の送信を可能にするからである。これにより、例えば、より精度の高い情報の通知が可能になる。
【００９３】
あるいは、上記コードブックは、プリコーディング行列のフィードバックのために端末装置３００により使用されるコードブックと同じであってもよい。
【００９４】
このように、コードブックが再利用されることにより、定義されるコードブックを減らすことが可能になる。
【００９５】
当然ながら、第１の技術的特徴は、この例に限定されない。即ち、上記グループは、プリコーディング行列のフィードバックのために端末装置３００により使用される他のコードブックを含まなくてもよい。
【００９６】
なお、予め定められたチャネル情報候補の上記グループは、チャネル情報の離散的な代表値（例えば、離散的なチャネル推定値のベクトル、又は、離散的なチャネル推定値の行列）とも言える。
【００９７】
（ｃ−２）チャネル情報候補
−情報の種類
−−同じ種類の情報
例えば、上記グループに含まれるチャネル情報候補は、上記チャネル情報と同じ種類の情報である。
【００９８】
一例として、上記チャネル情報は、Ｎ個のチャネル推定値を含むチャネルベクトルであり、上記グループに含まれるチャネル情報候補は、Ｎ個の成分を含むベクトルである。
【００９９】
別の例として、上記チャネル情報は、Ｎ×Ｍ個のチャネル推定値を含むＮ×Ｍのチャネル行列であってもよく、上記グループに含まれるチャネル情報候補は、Ｎ×Ｍの行列であってもよい。
【０１００】
−−異なる種類の情報
上記グループに含まれるチャネル情報候補は、上記チャネル情報と異なる種類の情報であってもよい。一例として、上記チャネル情報は、Ｎ×Ｍのチャネル行列であってもよく、この場合に、上記グループに含まれるチャネル情報候補は、Ｎ個の成分を含むベクトルであってもよい。
【０１０１】
−直交性
例えば、上記グループ（例えば、コードブック）に含まれる任意の２つの要素は、互いに直行する。
【０１０２】
上述したように、一例として、上記チャネル情報は、Ｎ個のチャネル推定値を含むチャネルベクトルであり、上記グループに含まれるチャネル情報候補は、Ｎ個の成分を含むベクトルである。この場合に、例えば、上記グループは、Ｎ−ｐｏｉｎｔ  ＤＦＴ行列（Ｎ×Ｎの正方行列）に含まれるＮ個のベクトル（Ｎ個の列、又はＮ個の行）を候補（即ちＮ個の候補）として含む。なお、Ｎ−ｐｏｉｎｔ  ＤＦＴ行列のｍ行ｎ列の成分は、以下のように表される。
【０１０３】
【数３】
2017038529.tif 000005
【０１０４】
なお、当然ながら、Ｎ−ｐｏｉｎｔ  ＤＦＴ行列ではなく、別の行列が利用されてもよい。一例として、Ｗａｌｓｈ−Ｈａｄａｍａｒｄ行列が利用されてもよい。
【０１０５】
（ｃ−３）選択手法
−第１の例
例えば、選択された上記チャネル情報候補は、生成された上記チャネル情報と高い相関性（例えば、最も高い相関性）があるチャネル情報候補である。即ち、リモートノード１００（選択部１３３）は、上記グループ（例えば、コードブック）の中から、生成された上記チャネル情報と高い相関性（例えば、最も高い相関性）があるチャネル情報候補を選択する。
【０１０６】
上述したように、一例として、上記チャネル情報は、Ｎ個のチャネル推定値を含むチャネルベクトルであり、上記グループに含まれるチャネル情報候補は、Ｎ個の成分を含むベクトルである。この場合に、リモートノード１００（選択部１３３）は、上記グループに含まれる各候補と上記チャネル情報との内積を算出し、最大の算出値（最大の内積）を伴う候補を選択する。例えばこのように、生成された上記チャネル情報（チャネルベクトル）とチャネル情報候補との内積が大きい（例えば最大である）場合には、当該チャネル情報候補は、生成された上記チャネル情報と高い相関性（例えば、最も高い相関性）があると言え、リモートノード１００（選択部１３３）は、当該チャネル情報候補を選択する。
【０１０７】
上述したように、別の例として、上記チャネル情報は、Ｎ×Ｍ個のチャネル推定値を含むＮ×Ｍのチャネル行列であってもよく、上記グループに含まれるチャネル情報候補は、Ｎ×Ｍの行列であってもよい。この場合に、リモートノード１００（選択部１３３）は、上記グループに含まれる各候補と上記チャネル情報とを乗算し、乗算結果であるＭ×Ｍの行列の対角成分の和を算出し、最大の算出値（最大の和）を伴う候補を選択してもよい。例えばこのように、生成された上記チャネル情報（チャネル行列）とチャネル情報候補との乗算結果の対角成分の和が大きい（例えば最大である）場合には、当該チャネル情報候補は、生成された上記チャネル情報と高い相関性（例えば、最も高い相関性）があると言え、リモートノード１００（選択部１３３）は、当該チャネル情報候補を選択する。
【０１０８】
これにより、例えば、チャネル情報に類似するチャネル情報候補を集約ノード２００に通知することが可能になる。
【０１０９】
−第２の例
上述したように、上記チャネル情報は、Ｎ×Ｍのチャネル行列であってもよく、上記グループに含まれるチャネル情報候補は、Ｎ個の成分を含むベクトルであってもよい。この場合に、リモートノード１００（選択部１３３）は、上記チャネル行列の特異値分解（Singular  Value  Decomposition：ＳＶＤ）を行い、最大の特異値と、それに対応する特異ベクトル（左特異ベクトル及び／又は右特異ベクトル）とを取得してもよい。そして、リモートノード１００（選択部１３３）は、上記グループに含まれる各候補と上記特異ベクトルとの内積を算出し、最大の算出値（最大の内積）を伴う候補を選択してもよい。
【０１１０】
なお、リモートノード１００（通知部１３５）は、選択された上記候補を示す指示情報のみではなく、上記特異値（又は特異値を示す他の指示情報）も集約ノード２００に通知してもよい。
【０１１１】
（ｄ）指示情報の通知
上述したように、リモートノード１００（通知部１４５）は、選択された上記チャネル情報候補を示す指示情報を集約ノード２００に通知する。即ち、リモートノード１００（通知部１４５）は、当該指示情報を集約ノード２００へ送信する。
【０１１２】
一例として、上記指示情報は、選択された上記チャネル情報候補のインデックスである。より具体的には、例えば、予め定められたチャネル情報候補の上記グループ（例えば、コードブック）は、０〜Ｎ−１のインデックスを有するＮ個の候補を含む。そして、リモートノード１００（通知部１４５）は、選択された上記チャネル情報候補のインデックス（０〜Ｎ−１のいずれか）を集約ノード２００に通知する。
【０１１３】
例えばこのように、リモートノード１００は、生成された上記チャネル情報そのものではなく、より情報量が少ない指標情報（例えば、インデックス）を集約ノード２００に通知する。これにより、例えば、リモートノード１００から集約ノード２００へ送信される情報の量がより少なくなる。
【０１１４】
（ｅ）その他の情報の通知
例えば、リモートノード１００（情報生成部１４１）は、端末装置３００により送信されるアップリンク信号に基づいてチャネル品質を測定することにより、端末装置３００についてのチャネル品質指標（ＣＱＩ）を生成する。そして、リモートノード１００（通知部１４５）は、集約ノード２００に上記チャネル品質指標（ＣＱＩ）を通知する。即ち、リモートノード１００（通知部１４５）は、集約ノード２００へ上記チャネル品質指標（ＣＱＩ）を送信する。例えば、上記アップリンク信号は、端末装置３００により送信されるアップリンクリファレンス信号であり、例えば、当該アップリンクリファレンス信号は、ＤＭＲＳ又はＳＲＳである。
【０１１５】
例えばこのように、リモートノード１００は、アップリンクのチャネル品質の測定値そのものではなく、より情報量がより少ないＣＱＩを集約ノード２００に通知する。これにより、例えば、リモートノード１００から集約ノード２００へ送信される情報の量がより少なくなる。
【０１１６】
（ｆ）スケジューリングの実行
上述したように、集約ノード２００（制御部２３３）は、上記指示情報に基づいて、端末装置３００についてのスケジューリングを行う。
【０１１７】
−スケジューリング
例えば、集約ノード２００（制御部２３３）は、上記スケジューリングとして、無線リソースの割当て、適応変調符号化（ＡＭＣ）、及び空間多重又はビームフォーミングの重みを決定する。
【０１１８】
一例として、集約ノード２００は、上記指示情報が示すチャネル情報候補を取得し、当該チャネル情報候補に基づいて、端末装置３００についての、空間多重（例えば、ＭＵ−ＭＩＭＯ（Multi-User  Multiple-Input  Multiple-Output））又はビームフォーミングの重みを決定する。
【０１１９】
−ＣＱＩ
例えば、集約ノード２００（制御部２３３）は、リモートノード１００から、端末装置３００についてのチャネル品質指標（ＣＱＩ）を取得する。そして、集約ノード２００（制御部２３３）は、上記チャネル品質指標（ＣＱＩ）にさらに基づいて、端末装置３００についての上記スケジューリングを行う。
【０１２０】
一例として、集約ノード２００は、上記ＣＱＩに基づいて適応変調符号化（ＡＭＣ）を決定する。即ち、集約ノード２００は、端末装置３００についての変調オーダ（modulation  order）及び符号化率（coding  rate）を決定する。
【０１２１】
−スケジューリング情報の通知
例えば、集約ノード２００（通知部２３５）は、上記スケジューリングの結果として生成されるスケジューリング情報をリモートノード１００に通知する。例えば、当該スケジューリング情報は、端末装置３００へ送信される情報（例えば、ＤＣＩ（Downlink  Control））そのものではなく、ダウンリンク信号を送信するためにリモートノード１００により使用される情報（例えば、レイヤ１（物理層）において使用される情報）である。また、上記スケジューリング情報は、アップリンク信号を受信するためにリモートノード１００により使用される情報（例えば、レイヤ１（物理層）において使用される情報）でもあってもよい。
【０１２２】
例えば、上記スケジューリング情報は、リソース割当て情報、適応変調符号化情報、及び、空間多重情報又はビームフォーミング情報を含む。例えば、上記リソース割当て情報は、割り当てられた無線リソースを示す情報である。例えば、上記適応変調符号化情報は、変調オーダ及び符号化率を示す情報である。例えば、上記空間多重情報は、空間多重のためのプリコーディングの重みを示す情報であり、上記ビームフォーミング情報は、ビームフォーミングの重みを示す情報である。
【０１２３】
−スケジューリング結果に基づくダウンリンク信号の送信
例えば、リモートノード１００（情報取得部１４７）は、集約ノード２００から、上記スケジューリング情報を取得する。そして、リモートノード１００（送信処理部１４９）は、上記スケジューリング情報に基づいてダウンリンク信号を送信する。
【０１２４】
例えば、端末装置３００（受信処理部３３３）は、上記ダウンリンク信号を受信する。
【０１２５】
（ｇ）処理の流れ
図８は、第１の実施形態の第１の技術的特徴に係る処理の概略的な流れの一例を示すシーケンス図である。
【０１２６】
端末装置３００（送信処理部３３１）は、アップリンク信号を送信する（Ｓ４０１）。例えば、当該アップリンク信号は、アップリンクリファレンス信号である。
【０１２７】
リモートノード１００（情報生成部１４１）は、上記アップリンク信号に基づいてチャネル推定を行うことにより、端末装置３００についてのチャネル情報を生成する（Ｓ４０３）。また、リモートノード１００（情報生成部１４１）は、上記アップリンク信号に基づいてチャネル品質を測定することにより、端末装置３００についてのチャネル品質指標（ＣＱＩ）を生成する（Ｓ４０３）。
【０１２８】
リモートノード１００（選択部１４３）は、予め定められたチャネル情報候補のグループ（例えば、コードブック）の中から、生成された上記チャネル情報に対応するチャネル情報候補を選択する（Ｓ４０５）。
【０１２９】
その後、リモートノード１００（通知部１４５）は、選択された上記チャネル情報候補を示す指示情報を集約ノード２００に通知する（Ｓ４０７）。また、リモートノード１００（通知部１４５）は、集約ノード２００に上記ＣＱＩも通知する（Ｓ４０７）。
【０１３０】
集約ノード２００（情報取得部２３１）は、上記指示情報及び上記ＣＱＩを取得する。そして、集約ノード２００（制御部２３３）は、上記指示情報及び上記ＣＱＩに基づいて、端末装置３００についてのスケジューリングを行う（Ｓ４０９）。
【０１３１】
集約ノード２００（通知部２３５）は、上記スケジューリングの結果として生成されるスケジューリング情報をリモートノード１００に通知する（Ｓ４１１）。また、集約ノード２００（通知部２３５）は、ダウンリンク信号として送信すべきデータ及び制御情報をリモートノード１００へ送信する（Ｓ４１３）。
【０１３２】
リモートノード１００（情報取得部１４７）は、集約ノード２００から、上記スケジューリング情報を取得する。そして、リモートノード１００（送信処理部１４９）は、上記スケジューリング情報に基づいてダウンリンク信号を送信する（Ｓ４１５）。
【０１３３】
端末装置３００（受信処理部３３３）は、上記ダウンリンク信号を受信する。
【０１３４】
以上、第１の実施形態の第１の技術的特徴を説明した。上述したように、とりわけ、リモートノード１００は、上記チャネル情報そのものではなく、上記指示情報を集約ノード２００に通知する。これにより、例えば、リモートノード１００から集約ノード２００へ送信される情報の量がより少なくなる。
【０１３５】
（２）第２の技術的特徴
次に、図９及び図１０を参照して、第１の実施形態の第２の技術的特徴を説明する。
【０１３６】
端末装置３００（送信処理部３３１）は、アップリンク信号を送信する。
【０１３７】
リモートノード１００（情報生成部１４１）は、端末装置３００により送信されるアップリンク信号に基づいてチャネル推定を行うことにより、端末装置３００についてのチャネル情報を生成する。また、リモートノード１００（情報生成部１４１）は、端末装置３００により送信されるアップリンク信号に基づいてチャネル品質を測定することにより、端末装置３００についてのチャネル品質指標（ＣＱＩ）を生成する。
【０１３８】
とりわけ、リモートノード１００（選択部１４３）は、上記ＣＱＩに基づいて、集約ノード２００に上記チャネル情報を通知するか否かを選択する。即ち、リモートノード１００（選択部１４３）は、上記ＣＱＩに基づいて、集約ノード２００に上記チャネル情報を通知するか否かを判定する。さらに換言すると、リモートノード１００（選択部１４３）は、複数の端末装置３００についてのチャネル品質指標（ＣＱＩ）に基づいて、当該複数の端末装置３００のうちの、チャネル情報を集約ノード２００に通知する端末装置３００を選択する。
【０１３９】
これにより、例えば、集約ノード２００へのチャネル情報の通知の機会が限定される。そのため、例えば、リモートノード１００から集約ノード２００へ送信される情報の量がより少なくなる。
【０１４０】
（ａ）アップリンク信号の送信／チャネル情報の生成
「アップリンク信号の送信」及び「チャネル情報の生成」は、第１の技術的特徴に関連して上述したとおりである。よって、ここでは重複する説明を省略する。
【０１４１】
（ｂ）選択（判定）の手法
例えば、リモートノード１００（選択部１４３）は、上記ＣＱＩが閾値よりも大きければ、集約ノード２００に上記チャネル情報を通知することを選択する。例えば、リモートノード１００（選択部１４３）は、上記ＣＱＩが上記閾値よりも小さければ、集約ノード２００に上記チャネル情報を通知しないことを選択する。また、リモートノード１００（選択部１４３）は、上記ＣＱＩが閾値と等しければ、集約ノード２００に上記チャネル情報を通知することを選択してもよく、あるいは、集約ノード２００に上記チャネル情報を通知しないことを選択してもよい。
【０１４２】
これにより、例えば、集約ノード２００には、比較的悪いチャネルを有する端末装置３００についてのチャネル情報は通知されないが、比較的良好なチャネルを有する端末装置３００（即ち、空間多重又はビームフォーミングに適した端末装置３００）についてのチャネル情報が通知される。即ち、有用性が高い情報の通知は確保されつつ、有用性が低い情報の通知が制限される。よって、チャネル情報の通知が効率的になり得る。
【０１４３】
なお、リモートノード１００（選択部１４３）は、上記チャネル情報の通知の有無にかかわらず、上記ＣＱＩを集約ノード２００に通知してもよい。
【０１４４】
（ｃ）閾値情報の取得
例えば、集約ノード２００（情報取得部２３１）は、上記閾値（即ち、リモートノード１００により生成されるチャネル品質指標（ＣＱＩ）と比較される閾値）を示す閾値情報を取得する。そして、集約ノード２００（通知部２３５）は、上記閾値情報をリモートノード１００に通知する。即ち、集約ノード２００（通知部２３５）は、当該閾値情報（例えば、当該閾値情報を含むメッセージ）をリモートノード１００へ送信する。
【０１４５】
例えば、リモートノード１００（情報取得部１４７）は、上記閾値情報を集約ノード２００から取得する。
【０１４６】
第１の例として、集約ノード２００の運用開始時にリモートノード１００も既に配置されている。この場合には、集約ノード２００の運用開始時に、集約ノード２００（通知部２３５）は、上記閾値情報をリモートノード１００に通知し、リモートノード１００（情報取得部１４７）は、集約ノード２００から上記閾値情報を取得する。これにより、例えば、運用開始の直後から上述した動作が可能になる。
【０１４７】
第２の例として、集約ノード２００の運用開始時にはリモートノード１００は配置されておらず、集約ノード２００にリモートノード１００が後から追加される。この場合には、集約ノード２００へのリモートノード１００の追加時に、集約ノード２００（通知部２３５）は、上記閾値情報をリモートノード１００に通知し、リモートノード１００（情報取得部１４７）は、集約ノード２００から上記閾値情報を取得する。これにより、例えば、リモートノード１００の追加の直後から上述した動作が可能になる。
【０１４８】
以上のように、集約ノード２００は、リモートノード１００に上記閾値情報を通知し、リモートノード１００は、集約ノード２００から上記閾値情報を取得する。これにより、例えば、オペレータが個々のリモートノード１００に閾値を設定しなくてもよいので、運用の負担が軽減され得る。
【０１４９】
なお、上記閾値（又は上記閾値情報）は、リモートノード１００ごとに決められてもよく、又は、複数のリモートノード１００の間で共通であってもよい。
【０１５０】
（ｄ）処理の流れ
−第１の処理（閾値情報の通知及び取得）
図９は、第１の実施形態の第２の技術的特徴に係る第１の処理の概略的な流れの一例を示すシーケンス図である。当該第１の処理は、閾値情報の通知及び取得の処理である。
【０１５１】
集約ノード２００（情報取得部２３１）は、リモートノード１００により生成されるチャネル品質指標（ＣＱＩ）と比較される閾値を示す閾値情報を取得する。そして、集約ノード２００（通知部２３５）は、上記閾値情報をリモートノード１００に通知する（Ｓ４２１）。例えば、集約ノード２００（通知部２３５）は、上記閾値情報を含むメッセージをリモートノード１００へ送信する。
【０１５２】
リモートノード１００（情報取得部１４７）は、集約ノード２００から上記閾値情報を取得する。そして、リモートノード１００（通知部１４５）は、集約ノード２００に応答する（Ｓ４２３）。例えば、リモートノード１００（通知部１４５）は、応答メッセージを集約ノード２００へ送信する。
【０１５３】
−第２の処理（アップリンク及びダウンリンクの送受信）
図１０は、第１の実施形態の第２の技術的特徴に係る第２の処理の概略的な流れの一例を示すシーケンス図である。当該第２の処理は、アップリンク及びダウンリンクの送受信の処理である。
【０１５４】
端末装置３００（送信処理部３３１）は、アップリンク信号を送信する（Ｓ４４１）。例えば、当該アップリンク信号は、アップリンクリファレンス信号である。
【０１５５】
リモートノード１００（情報生成部１４１）は、上記アップリンク信号に基づいてチャネル推定を行うことにより、端末装置３００についてのチャネル情報を生成する（Ｓ４４３）。また、リモートノード１００（情報生成部１４１）は、上記アップリンク信号に基づいてチャネル品質を測定することにより、端末装置３００についてのチャネル品質指標（ＣＱＩ）を生成する（Ｓ４４３）。
【０１５６】
リモートノード１００（選択部１４３）は、上記ＣＱＩに基づいて、集約ノード２００に上記チャネル情報を通知するか否かを選択する（Ｓ４４５）。例えば、リモートノード１００（選択部１４３）は、上記ＣＱＩが閾値よりも大きければ、集約ノード２００に上記チャネル情報を通知することを選択し、上記ＣＱＩが上記閾値よりも小さければ、集約ノード２００に上記チャネル情報を通知しないことを選択する。この例では、上記ＣＱＩが上記閾値よりも大きく、リモートノード１００（選択部１４３）は、集約ノード２００に上記チャネル情報を通知することを選択する。
【０１５７】
リモートノード１００（通知部１４５）は、上記チャネル情報及び上記ＣＱＩを集約ノード２００に通知する（Ｓ４４７）。
【０１５８】
集約ノード２００（情報取得部２３１）は、上記チャネル情報及び上記ＣＱＩを取得する。そして、集約ノード２００（制御部２３３）は、上記チャネル情報及び上記ＣＱＩに基づいて、端末装置３００についてのスケジューリングを行う（Ｓ４４９）。
【０１５９】
集約ノード２００（通知部２３５）は、上記スケジューリングの結果として生成されるスケジューリング情報をリモートノード１００に通知する（Ｓ４５１）。また、集約ノード２００（通知部２３５）は、ダウンリンク信号として送信すべきデータ及び制御情報をリモートノード１００へ送信する（Ｓ４５３）。
【０１６０】
リモートノード１００（情報取得部１４７）は、集約ノード２００から、上記スケジューリング情報を取得する。そして、リモートノード１００（送信処理部１４９）は、上記スケジューリング情報に基づいてダウンリンク信号を送信する（Ｓ４５５）。
【０１６１】
端末装置３００（受信処理部３３３）は、上記ダウンリンク信号を受信する。
【０１６２】
（ｅ）他の技術的特徴との組合せ
上述した第２の技術的特徴に加えて、上述した第１の技術的特徴が適用されてもよい。
【０１６３】
例えば、リモートノード１００（通知部１４５）は、上記チャネル情報そのものではなく、上記チャネル情報に対応するチャネル情報候補を示す指示情報を集約ノード２００に通知してもよい。この場合に、リモートノード１００（選択部１４３）は、上記ＣＱＩに基づいて、集約ノード２００に上記指示情報を通知するか否かを選択してもよい。例えば、リモートノード１００（選択部１４３）は、上記ＣＱＩが閾値よりも大きければ、集約ノード２００に上記指示情報を通知することを選択し、上記ＣＱＩが上記閾値よりも小さければ、集約ノード２００に上記指示情報を通知しないことを選択してもよい。
【０１６４】
これにより、例えば、リモートノード１００から集約ノード２００へ送信される情報の量がさらに少なくなる。
【０１６５】
以上、第１の実施形態の第２の技術的特徴を説明した。上述したように、とりわけ、リモートノード１００は、上記ＣＱＩに基づいて、集約ノード２００に上記チャネル情報（又は上記指示情報）を通知するか否かを選択（又は判定）する。これにより、例えば、リモートノード１００から集約ノード２００へ送信される情報の量がより少なくなる。
【０１６６】
（３）第３の技術的特徴
次に、図１１を参照して、第１の実施形態の第３の技術的特徴を説明する。
【０１６７】
端末装置３００（送信処理部３３１）は、アップリンク信号を送信する。
【０１６８】
リモートノード１００（情報生成部１４１）は、複数の端末装置３００の各々により送信されるアップリンク信号に基づいてチャネル推定を行うことにより、当該複数の端末装置３００の各々についてのチャネル情報を生成する。さらに、リモートノード１００（選択部１４３）は、上記複数の端末装置３００の各々についての上記チャネル情報に基づいて、上記複数の端末装置３００のうちの、空間多重又はビームフォーミングに適した２つ以上の端末装置３００のセットを選択する。そして、リモートノード１００（通知部１４５）は、上記２つ以上の端末装置３００の上記セットを示す端末セット情報を集約ノード２００に通知する。
【０１６９】
集約ノード２００（情報取得部２３１）は、リモートノード１００から上記端末セット情報を取得する。そして、集約ノード２００（制御部２３３）は、上記端末セット情報に基づいて、上記２つ以上の端末装置についてのスケジューリングを行う。
【０１７０】
これにより、例えば、リモートノード１００に処理（端末装置のセットの選択（例えば、端末装置のペアリング）の処理）が分散し、集約ノード２００におけるスケジューリング処理が軽減される。
【０１７１】
なお、端末装置３００のセットとして、端末装置３００のペア（即ち、２つの端末装置３００）が選択される場合には、端末装置３００のセットの選択は、端末装置３００のペアリングと呼ばれてもよく、上記端末セット情報は、ペアリング情報と呼ばれてもよい。
【０１７２】
（ａ）アップリンク信号の送信／チャネル情報の生成
「アップリンク信号の送信」及び「チャネル情報の生成」は、第１の技術的特徴に関連して上述したとおりである。よって、ここでは重複する説明を省略する。
【０１７３】
（ｂ）端末セットの選択手法
例えば、上記２つ以上の端末装置３００の上記セットは、チャネル情報が高い直交性を有する２つ以上の端末装置のセットである。即ち、リモートノード１００（選択部１３３）は、上記複数の端末装置のうちの、チャネル情報が高い直交性を有する２つ以上の端末装置のセットを選択する。
【０１７４】
より具体的には、例えば、リモートノード１００（選択部１４３）は、上記複数の端末装置３００に含まれる端末装置３００のセット候補（candidate  set）について、当該セット候補に含まれる端末装置３００のチャネル情報間の直交性の程度を示す直交性指標を算出する。そして、リモートノード１００（選択部１４３）は、上記直交性指標が閾値よりも小さければ（あるいは上記直交性指標が閾値よりも大きければ）、上記セット候補を上記セットとして選択する。そうでなければ、リモートノード１００（選択部１４３）は、上記セット候補を上記セットとして選択しない。例えばこのような処理が、セット候補ごとに行われる。
【０１７５】
一例として、リモートノード１００（選択部１４３）は、以下のように直交性指標を算出する。まず、リモートノード１００（選択部１４３）は、２つ以上の端末装置のチャネル情報（ベクトル又は行列）を結合することにより、１つの行列を生成する。例えば、リモートノード１００（選択部１４３）は、２つの端末装置のチャネルベクトル（Ｎ個の成分を含むベクトル）を結合することにより、Ｎ×２の行列を生成する。さらに、リモートノード１００（選択部１４３）は、上記１つの行列の特異値分解（ＳＶＤ）を行い、上記１つ以上の行列の特異値を取得する。そして、リモートノード１００（選択部１４３）は、当該特異値の最大値と最小値との比を、直交性指標として算出する。一般的に、特異値の最大値と最小値との比がより小さいほど、直交性がより高い。よって、リモートノード１００（選択部１４３）は、当該直交性指標（即ち、上記特異値の最大値と最小値との比）が閾値よりも小さければ、上記セット候補を上記セットとして選択する。そうでなければ、リモートノード１００（選択部１４３）は、上記セット候補を上記セットとして選択しない。これにより、例えば、リモートノード１００が集約ノード２００に通知する情報（端末セット情報）の量をより少なくすることが可能になる。
【０１７６】
なお、集約ノード２００が、上記閾値（即ち、チャネル情報間の直交性を判定するための閾値）を示す閾値情報をリモートノード１００に通知し、リモートノード１００は、当該閾値情報を取得してもよい。このような閾値情報の通知及び取得についての説明は、第２の技術的特徴に関連する閾値情報（即ち、リモートノード１００により生成されるＣＱＩと比較される閾値）の通知及び取得についての説明と同じである。よって、ここでは重複する説明を省略する。
【０１７７】
（ｃ）直交性指標
例えば、リモートノード１００（選択部１４３）は、上記２つ以上の端末装置３００のチャネル情報間の直交性の程度を示す直交性指標を生成する。そして、リモートノード１００（通知部１４５）は、上記直交性指標を集約ノード２００に通知する。
【０１７８】
例えば、集約ノード２００（情報取得部２３１）は、リモートノード１００から、上記直交性指標を取得する。そして、集約ノード２００（制御部２３３）は、上記直交性指標にさらに基づいて、上記２つ以上の端末装置３００についてのスケジューリングを行う。
【０１７９】
これにより、例えば、集約ノード２００は、直交性指標を自ら算出しなくてもよくなる。よって、集約ノード２００におけるスケジューリング処理が軽減され得る。
【０１８０】
なお、上記直交性指標は、上述したように、特異値の最大値と最小値との比（即ち、算出された値そのもの）であってもよく、あるいは、予め定められた直交性指標候補のうちの、上記比（即ち、算出された値そのもの）に最も近い直交性指標候補であってもよい。
【０１８１】
（ｄ）補正情報
−補正されたＣＱＩ
例えば、リモートノード１００（情報生成部１４１）は、上記複数の端末装置３００の各々により送信されるアップリンク信号に基づいてチャネル品質を測定することにより、上記複数の端末装置３００の各々についてのチャネル品質指標（ＣＱＩ）を生成する。さらに、リモートノード１００（情報生成部１４１又は選択部１４３）は、上記２つ以上の端末装置３００の上記セットについての補正されたチャネル品質指標（ＣＱＩ）を生成する。例えば、ここでの補正は、上記２つ以上の端末装置３００についての空間多重又はビームフォーミングに伴う補正（即ち、上記２つ以上の端末装置３００についての空間多重又はビームフォーミングが行われた場合に想定される値への補正）である。そして、リモートノード１００（通知部１４５）は、上記補正されたＣＱＩを集約ノード２００に通知する。
【０１８２】
例えば、集約ノード２００（情報取得部２３１）は、リモートノード１００から、上記補正されたＣＱＩを取得する。そして、集約ノード２００（制御部２３３）は、上記補正されたＣＱＩにさらに基づいて、上記２つ以上の端末装置３００についてのスケジューリングを行う。
【０１８３】
これにより、例えば、集約ノード２００は、ＣＱＩを自ら補正しなくてもよくなる。よって、集約ノード２００におけるスケジューリング処理が軽減され得る。
【０１８４】
−補正されたチャネル情報
例えば、リモートノード１００（情報生成部１４１又は選択部１４３）は、上記２つ以上の端末装置３００の上記セットについての補正されたチャネル情報を生成する。例えば、ここでの補正は、上記２つ以上の端末装置３００についての空間多重又はビームフォーミングに伴う補正である。そして、リモートノード１００（通知部１４５）は、上記補正されたチャネル情報を集約ノード２００に通知する。
【０１８５】
例えば、集約ノード２００（情報取得部２３１）は、リモートノード１００から、上記補正されたチャネル情報を取得する。そして、集約ノード２００（制御部２３３）は、上記補正されたチャネル情報にさらに基づいて、上記２つ以上の端末装置３００についてのスケジューリングを行う。
【０１８６】
これにより、例えば、集約ノード２００は、チャネル情報を自ら補正しなくてもよくなる。よって、集約ノード２００におけるスケジューリング処理が軽減され得る。
【０１８７】
（ｅ）処理の流れ
図１１は、第１の実施形態の第３の技術的特徴に係る処理の概略的な流れの一例を示すシーケンス図である。
【０１８８】
複数の端末装置３００（送信処理部３３１）が、アップリンク信号を送信する（Ｓ４６１）。例えば、当該アップリンク信号は、アップリンクリファレンス信号である。
【０１８９】
リモートノード１００（情報生成部１４１）は、上記アップリンク信号に基づいてチャネル推定を行うことにより、上記複数の端末装置３００の各々についてのチャネル情報を生成する（Ｓ４６３）。また、リモートノード１００（情報生成部１４１）は、上記アップリンク信号に基づいてチャネル品質を測定することにより、上記複数の端末装置３００の各々についてのチャネル品質指標（ＣＱＩ）を生成する（Ｓ４６３）。
【０１９０】
リモートノード１００（選択部１４３）は、上記複数の端末装置３００の各々についての上記チャネル情報に基づいて、上記複数の端末装置３００のうちの、空間多重又はビームフォーミング（ＢＦ）に適した２つ以上の端末装置３００のセットを選択する（Ｓ４６５）。
【０１９１】
さらに、リモートノード１００（情報生成部１４１又は選択部１４３）は、上記２つ以上の端末装置３００のチャネル情報間の直交性の程度を示す直交性指標、並びに、上記２つ以上の端末装置３００の上記セットについての補正されたＣＱＩ及び補正されたチャネル情報を生成する（Ｓ４６７）。
【０１９２】
リモートノード１００（選択部１４３）は、上記チャネル情報及び上記ＣＱＩを集約ノード２００に通知する（Ｓ４６９）。また、リモートノード１００（選択部１４３）は、上記２つ以上の端末装置３００のセットを示す端末セット情報、上記直交性指標、上記補正されたＣＱＩ、及び上記補正されたチャネル情報を集約ノード２００に通知する（Ｓ４７１）。
【０１９３】
集約ノード２００（制御部２３３）は、上記端末セット情報、上記直交性指標、上記補正されたＣＱＩ、及び上記補正されたチャネル情報（並びに上記チャネル情報及び上記ＣＱＩ）に基づいて、上記２つ以上の端末装置３００についてのスケジューリングを行う（Ｓ４７３）。
【０１９４】
集約ノード２００（通知部２３５）は、上記スケジューリングの結果として生成されるスケジューリング情報をリモートノード１００に通知する（Ｓ４７５）。また、集約ノード２００（通知部２３５）は、ダウンリンク信号として送信すべきデータ及び制御情報をリモートノード１００へ送信する（Ｓ４７７）。
【０１９５】
リモートノード１００（情報取得部１４７）は、集約ノード２００から、上記スケジューリング情報を取得する。そして、リモートノード１００（送信処理部１４９）は、上記スケジューリング情報に基づいてダウンリンク信号を送信する（Ｓ４７９）。
【０１９６】
端末装置３００（受信処理部３３３）は、上記ダウンリンク信号を受信する。
【０１９７】
（ｆ）他の技術的特徴との組合せ
上述した第３の技術的特徴に加えて、上述した第１の技術的特徴が適用されてもよい。
【０１９８】
例えば、リモートノード１００（通知部１４５）は、上記チャネル情報そのものではなく、上記チャネル情報に対応するチャネル情報候補を示す指示情報を集約ノード２００に通知してもよい。そして、集約ノード２００（情報取得部２３１）は、当該指示情報を取得し、集約ノード２００（制御部２３３）は、当該指示情報に基づいて、上記スケジューリングを行ってもよい。
【０１９９】
また、リモートノード１００（通知部１４５）は、上記補正されたチャネル情報そのものではなく、上記補正されたチャネル情報に対応するチャネル情報候補を示す指示情報を集約ノード２００に通知してもよい。そして、集約ノード２００（情報取得部２３１）は、当該指示情報を取得し、集約ノード２００（制御部２３３）は、当該指示情報に基づいて、上記スケジューリングを行ってもよい。
【０２００】
また、上述した第３の技術的特徴に加えて、上述した第２の技術的特徴が適用されてもよい。
【０２０１】
これにより、例えば、リモートノード１００から集約ノード２００へ送信される情報の量が少なくなる。
【０２０２】
以上、第１の実施形態の第３の技術的特徴を説明した。上述したように、とりわけ、リモートノード１００は、上記端末セット情報を集約ノード２００に通知し、集約ノード２００は、上記端末セット情報に基づいて上記スケジューリングを行う。これにより、例えば、リモートノード１００に処理（端末装置のセットの選択（例えば、端末装置のペアリング）の処理）が分散し、集約ノード２００におけるスケジューリング処理が軽減される。
【０２０３】
（４）第４の技術的特徴
次に、第１の実施形態の第４の技術的特徴を説明する。
【０２０４】
集約ノード２００（制御部２３３）は、端末装置３００についてのスケジューリングを行う。そして、集約ノード２００（通知部２３５）は、上記スケジューリングの結果として生成されるスケジューリング情報をリモートノード１００に通知する。
【０２０５】
上記スケジューリング情報は、端末装置３００へ送信される情報（例えば、ＤＣＩ（Downlink  Control））そのものではなく、ダウンリンク信号を送信するためにリモートノード１００により使用される情報（例えば、レイヤ１（物理層）において使用される情報）である。
【０２０６】
とりわけ、上記スケジューリング情報は、リソース割当て情報を含み、当該リソース割当て情報は、端末装置３００に割り当てられる無線リソースのパターンを示す。これにより、例えば、集約ノード２００からリモートノード１００へ送信される情報の量が少なくなる。
【０２０７】
（ａ）リソースパターン
例えば、上記リソース割当て情報は、端末装置３００に割り当てられる無線リソースの上記パターンとして、端末装置３００に割り当てられる無線リソースの開始位置及びサイズを示す。
【０２０８】
より具体的には、例えば、上記無線リソースは、ＬＴＥ／ＬＴＥ−Ａｄｖａｎｃｅｄに規定されるようなリソース割当てタイプ（resource  allocation  type）に従って割り当てられ、上記リソース割当て情報は、当該リソース割当てタイプに対応するフォーマットの情報である。
【０２０９】
（ｂ）処理の流れ
図１２は、第１の実施形態の第４の技術的特徴に係る処理の概略的な流れの一例を示すシーケンス図である。
【０２１０】
集約ノード２００（制御部２３３）は、端末装置３００についてのスケジューリングを行う（Ｓ４８１）。
【０２１１】
集約ノード２００（通知部２３５）は、上記スケジューリングの結果として生成されるスケジューリング情報をリモートノード１００に通知する（Ｓ４８３）。とりわけ、上記スケジューリング情報は、リソース割当て情報を含み、当該リソース割当て情報は、端末装置３００に割り当てられる無線リソースのパターンを示す。
【０２１２】
集約ノード２００（通知部２３５）は、ダウンリンク信号として送信すべきデータ及び制御情報をリモートノード１００へ送信する（Ｓ４８５）。
【０２１３】
リモートノード１００（情報取得部１４７）は、集約ノード２００から、上記スケジューリング情報を取得する。そして、リモートノード１００（送信処理部１４９）は、上記スケジューリング情報に基づいてダウンリンク信号を送信する（Ｓ４８７）。
【０２１４】
端末装置３００（受信処理部３３３）は、上記ダウンリンク信号を受信する。
【０２１５】
（ｃ）その他
−コードブック
上記スケジューリング情報は、コードブックに含まれる要素のインデックス（即ち、コードブックインデックス）を含んでもよい。
【０２１６】
第１の例として、上記コードブックは、空間多重又はビームフォーミングのための重みセット（例えば、重みベクトル又は重み行列（例えば、プリコーディング行列））の候補のグループであってもよい。この場合に、リモートノード１００（送信処理部１４９）は、上記インデックスに基づいて、空間多重又はビームフォーミングのための重みセットを選択してもよい。
【０２１７】
第２の例として、上記コードブックは、予め定められたチャネル情報候補のグループであってもよい。この場合に、リモートノード１００（送信処理部１４９）は、上記インデックスに基づいて、チャネル情報候補を選択し、当該チャネル情報候補に基づいて、空間多重又はビームフォーミングのための重みセットを算出してもよい。
【０２１８】
このようなインデックスの通知により、例えば、集約ノード２００からリモートノード１００へ送信される情報の量が少なくなる。
【０２１９】
−チャネル情報
リモートノード１００（情報生成部１４１）は、端末装置３００により送信されるアップリンク信号に基づいてチャネル推定を行うことにより、端末装置３００についてのチャネル情報を生成してもよい。そして、リモートノード１００（情報生成部１４１）は、生成された当該チャネル情報に基づいて、ダウンリンクにおける空間多重又はビームフォーミングのための重みセット（例えば、重みベクトル又は重み行列（例えば、プリコーディング行列））を算出してもよい。そして、リモートノード１００（情報生成部１４１）は、当該重みセットを使用して、ダウンリンク信号を送信してもよい。
【０２２０】
なお、上述したように、上記スケジューリング情報が、上記コードブックに含まれる要素の上記インデックスを含む場合であっても、リモートノード１００（情報生成部１４１）は、生成された上記チャネル情報に基づいて、上記重みセットを算出してもよい。
【０２２１】
これにより、例えば、より精度の高い重みセットを算出することが可能になる。
−アップリンク
上記スケジューリング情報は、アップリンク信号を受信するためにリモートノード１００により使用される情報（例えば、レイヤ１（物理層）において使用される情報）でもあってもよい。即ち、上記スケジューリング情報は、ダウンリンクのスケジューリング情報と、アップリンクのスケジューリング情報とを含んでもよい。この場合に、リモートノード１００は、上記スケジューリング情報に基づいて、アップリンク信号を受信してもよい。
【０２２２】
（ｄ）他の技術的特徴との組合せ
上述した第４の技術的特徴に加えて、上述した第１の技術的特徴、第２の技術的特徴及び／又は第３の技術的特徴が適用されてもよい。
【０２２３】
以上、第１の実施形態の第４の技術的特徴を説明した。上述したように、とりわけ、集約ノード２００がリモートノード１００に通知するスケジューリング情報は、リソース割当て情報を含み、当該リソース割当て情報は、端末装置３００に割り当てられる無線リソースのパターンを示す。これにより、例えば、集約ノード２００からリモートノード１００へ送信される情報の量が少なくなる。
【０２２４】
＜＜５．第２の実施形態＞＞
続いて、図１３〜図１６を参照して、本発明の第２の実施形態を説明する。
【０２２５】
＜５．１．リモートノードの構成例＞
まず、図１３を参照して、第２の実施形態のリモートノード１００の構成の例を説明する。図１３は、第２の実施形態のリモートノード１００の概略的な構成の例を示すブロック図である。図１３を参照すると、リモートノード１００は、情報生成部１５１、選択部１５３及び通知部１５５を備える。
【０２２６】
情報生成部１５１、選択部１５３及び通知部１５５の動作は後に説明する。
【０２２７】
情報生成部１５１、選択部１５３及び通知部１５５は、ベースバンド（ＢＢ）プロセッサ及び／又は他のプロセッサなどで実装されてもよい。
【０２２８】
＜５．２．集約ノードの構成例＞
次に、図１４を参照して、第２の実施形態の集約ノード２００の構成の例を説明する。図１４は、第２の実施形態の集約ノード２００の概略的な構成の例を示すブロック図である。図１４を参照すると、集約ノード２００は、情報取得部２４１及び制御部２４３を備える。
【０２２９】
情報取得部２４１及び制御部２４３の動作は後に説明する。
【０２３０】
情報取得部２４１及び制御部２４３は、ベースバンド（ＢＢ）プロセッサ及び／又は他のプロセッサなどで実装されてもよい。
【０２３１】
＜５．３．端末装置の構成例＞
次に、図１５を参照して、第２の実施形態の端末装置３００の構成の例を説明する。図１５は、第２の実施形態の端末装置３００の概略的な構成の例を示すブロック図である。図１５を参照すると、端末装置３００は、送信処理部３４１及び受信処理部３４３を備える。
【０２３２】
送信処理部３４１及び受信処理部３４３の動作は後に説明する。
【０２３３】
送信処理部３４１及び受信処理部３４３は、ベースバンド（ＢＢ）プロセッサ及び／又は他のプロセッサなどで実装されてもよい。
【０２３４】
＜５．４．技術的特徴＞
次に、図１６を参照して、第２の実施形態の技術的特徴を説明する。
【０２３５】
端末装置３００（送信処理部３４１）は、アップリンク信号を送信する。
【０２３６】
リモートノード１００（情報生成部１５１）は、上記アップリンク信号に基づいてチャネル推定を行うことにより、端末装置３００についてのチャネル情報を生成する。そして、リモートノード１００（選択部１５３）は、予め定められたチャネル情報候補（candidate  channel  information）のグループの中から、生成された上記チャネル情報に対応するチャネル情報候補を選択する。その後、リモートノード１００（通知部１５５）は、選択された上記チャネル情報候補を示す指示情報（indication  information）を集約ノード２００に通知する。
【０２３７】
集約ノード２００（情報取得部２４１）は、上記指示情報を取得する。そして、集約ノード２００（制御部２４３）は、上記指示情報に基づいて、端末装置３００についてのスケジューリングを行う。
【０２３８】
（ａ）アップリンク信号の送信／チャネル情報の生成／チャネル情報候補の選択／指示情報の通知／スケジューリングの実行
第２の実施形態における「アップリンク信号の送信」、「チャネル情報の生成」、「チャネル情報候補の選択」、「指示情報の通知」及び「スケジューリングの実行」についての説明は、例えば、（符号の相違を除き）第１の実施形態におけるこれらの説明と同じである。よって、ここでは重複する説明を省略する。
【０２３９】
（ｂ）処理の流れ
図１６は、第２の実施形態に係る処理の概略的な流れの一例を示すシーケンス図である。
【０２４０】
端末装置３００（送信処理部３４１）は、アップリンク信号を送信する（Ｓ５０１）。
【０２４１】
リモートノード１００（情報生成部１５１）は、上記アップリンク信号に基づいてチャネル推定を行うことにより、端末装置３００についてのチャネル情報を生成する（Ｓ５０３）。
【０２４２】
リモートノード１００（選択部１５３）は、予め定められたチャネル情報候補のグループの中から、生成された上記チャネル情報に対応するチャネル情報候補を選択する（Ｓ５０５）。
【０２４３】
その後、リモートノード１００（通知部１５５）は、選択された上記チャネル情報候補を示す指示情報を集約ノード２００に通知する（Ｓ５０７）。
【０２４４】
集約ノード２００（情報取得部２４１）は、上記指示情報を取得する。そして、集約ノード２００（制御部２４３）は、上記指示情報に基づいて、端末装置３００についてのスケジューリングを行う（Ｓ５０９）。
【０２４５】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【０２４６】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【０２４７】
また、本明細書において説明したリモートノードの構成要素（例えば、情報生成部、選択部、通知部、情報取得部及び／又は送信処理部）を備える（リモートノードのための）モジュールが提供されてもよい。また、本明細書において説明した集約ノードの構成要素（例えば、情報取得部、制御部及び／又は通知部）を備える（集約ノードのための）モジュールが提供されてもよい。また、本明細書において説明した端末装置の構成要素（例えば、送信処理部及び／又は受信処理部）を備える（端末装置のための）モジュールが提供されてもよい。また、このような構成要素の処理を含む方法が提供されてもよく、このような構成要素の処理をプロセッサに実行させるためのプログラムが提供されてもよい。また、当該プログラムを記録した記録媒体が提供されてもよい。当然ながら、このようなモジュール、方法、プログラム及び記録媒体も本発明に含まれる。
【０２４８】
上記実施形態の一部又は全部は、以下の付記のようにも記載され得るが、以下には限られない。
【０２４９】
（付記１）
端末装置により送信されるアップリンク信号に基づいてチャネル推定を行うことにより、前記端末装置についてのチャネル情報を生成する情報生成部と、
予め定められたチャネル情報候補のグループの中から、生成された前記チャネル情報に対応するチャネル情報候補を選択する選択部と、
前記端末装置についてのスケジューリングを行う第１のノードに、選択された前記チャネル情報候補を示す指示情報を通知する通知部と、
を備える装置。
【０２５０】
（付記２）
前記指示情報は、選択された前記チャネル情報候補のインデックスである、付記１に記載の装置。
【０２５１】
（付記３）
予め定められたチャネル情報候補の前記グループは、予め定められたチャネル情報候補を要素として含むコードブックである、付記１又は２に記載の装置。
【０２５２】
（付記４）
前記コードブックは、プリコーディング行列のフィードバックのために前記端末装置により使用される他のコードブックを、前記コードブックの一部として含む、付記３に記載の装置。
【０２５３】
（付記５）
前記コードブックは、プリコーディング行列のフィードバックのために前記端末装置により使用されるコードブックと同じである、付記３に記載の装置。
【０２５４】
（付記６）
前記アップリンク信号は、前記端末装置により送信されるアップリンクリファレンス信号である、付記１〜５のいずれか１項に記載の装置。
【０２５５】
（付記７）
前記アップリンクリファレンス信号は、ＤＭＲＳ（Demodulation  Reference  Signal）又はＳＲＳ（Sounding  Reference  Signal）である、付記６に記載の装置。
【０２５６】
（付記８）
選択された前記チャネル情報候補は、生成された前記チャネル情報と高い相関性があるチャネル情報候補である、付記１〜７のいずれか１項に記載の装置。
【０２５７】
（付記９）
前記情報生成部は、前記端末装置により送信されるアップリンク信号に基づいてチャネル品質を測定することにより、前記端末装置についてのチャネル品質指標を生成し、
前記通知部は、前記第１のノードに前記チャネル品質指標を通知する、
付記１〜８のいずれか１項に記載の装置。
【０２５８】
（付記１０）
前記第１のノードから、前記スケジューリングの結果として生成されるスケジューリング情報を取得する情報取得部と、
前記スケジューリング情報に基づいてダウンリンク信号を送信する送信処理部と、
をさらに備える、付記１〜９のいずれか１項に記載の装置。
【０２５９】
（付記１１）
前記情報生成部は、前記端末装置により送信されるアップリンク信号に基づいてチャネル品質を測定することにより、前記端末装置についてのチャネル品質指標を生成し、
前記選択部は、前記チャネル品質指標に基づいて、前記第１のノードに前記指示情報を通知するか否かを選択する、
付記１〜１０のいずれか１項に記載の装置。
【０２６０】
（付記１２）
前記選択部は、前記チャネル品質指標が閾値よりも大きければ、前記第１のノードに前記指示情報を通知することを選択し、前記チャネル品質指標が前記閾値よりも小さければ、前記第１のノードに前記指示情報を通知しないことを選択する、付記１１に記載の装置。
【０２６１】
（付記１３）
前記閾値を示す閾値情報を前記第１のノードから取得する情報取得部をさらに備える、付記１２に記載の装置。
【０２６２】
（付記１４）
前記情報取得部は、前記第１のノードの運用開始時に、前記第１のノードから前記閾値情報を取得する、付記１３に記載の装置。
【０２６３】
（付記１５）
前記装置は、前記第１のノードに接続される第２のノード、又は当該第２のノードのためのモジュールであり、
前記情報取得部は、前記第１のノードへの前記第２のノードの追加時に、前記第１のノードから前記閾値情報を取得する、付記１３又は１４に記載の装置。
【０２６４】
（付記１６）
前記情報生成部は、複数の端末装置の各々により送信されるアップリンク信号に基づいてチャネル推定を行うことにより、前記複数の端末装置の各々についてのチャネル情報を生成し、
前記選択部は、前記複数の端末装置の各々についての前記チャネル情報に基づいて、前記複数の端末装置のうちの、空間多重又はビームフォーミングに適した２つ以上の端末装置のセットを選択し、
前記通知部は、前記２つ以上の端末装置の前記セットを示す端末セット情報を、前記第１のノードに通知する、
付記１〜１５のいずれか１項に記載の装置。
【０２６５】
（付記１７）
前記選択部は、前記２つ以上の端末装置のチャネル情報間の直交性の程度を示す直交性指標を生成し、
前記通知部は、前記直交性指標を前記第１のノードに通知する、
付記１６に記載の装置。
【０２６６】
（付記１８）
前記情報生成部は、前記複数の端末装置の各々により送信されるアップリンク信号に基づいてチャネル品質を測定することにより、前記複数の端末装置の各々についてのチャネル品質指標を生成し、
前記通知部は、前記２つ以上の端末装置の前記セットについての補正されたチャネル品質指標を、前記第１のノードに通知する、
付記１６又は１７に記載の装置。
【０２６７】
（付記１９）
前記通知部は、前記２つ以上の端末装置の前記セットについての補正されたチャネル情報、又は当該補正されたチャネル情報に対応するチャネル情報候補を示す指示情報を、前記第１のノードに通知する、付記１６〜１８のいずれか１項に記載の装置。
【０２６８】
（付記２０）
前記装置は、前記第１のノードに接続される第２のノード、又は当該第２のノードのためのモジュールである、付記１〜１９のいずれか１項に記載の装置。
【０２６９】
（付記２１）
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得する情報取得部と、
前記指示情報に基づいて、前記端末装置についてのスケジューリングを行う制御部と、
を備える装置。
【０２７０】
（付記２２）
前記情報取得部は、前記第２のノードから、前記端末装置についてのチャネル品質指標を取得し、
前記制御部は、前記チャネル品質指標にさらに基づいて、前記端末装置についての前記スケジューリングを行う、
付記２１に記載の装置。
【０２７１】
（付記２３）
前記スケジューリングの結果として生成されるスケジューリング情報を前記第２のノードに通知する通知部をさらに備える、付記２１又は２２に記載の装置。
【０２７２】
（付記２４）
前記スケジューリング情報は、リソース割当て情報、適応変調符号化情報、及び、空間多重情報又はビームフォーミング情報を含む、付記２３に記載の装置。
【０２７３】
（付記２５）
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
付記２３又は２４に記載の装置。
【０２７４】
（付記２６）
前記リソース割当て情報は、前記パターンとして、前記端末装置に割り当てられる無線リソースの開始位置及びサイズを示す、付記２５に記載の装置。
【０２７５】
（付記２７）
前記スケジューリング情報は、コードブックに含まれる要素のインデックスを含む、付記２３〜２６のいずれか１項に記載の装置。
【０２７６】
（付記２８）
前記コードブックは、空間多重又はビームフォーミングのための重みセットの候補のグループであり、
前記要素は、空間多重又はビームフォーミングのための重みセットの候補である、
付記２７に記載の装置。
【０２７７】
（付記２９）
前記コードブックは、予め定められたチャネル情報候補のグループであり、
前記要素は、予め定められたチャネル情報候補である、
付記２７に記載の装置。
【０２７８】
（付記３０）
前記第２のノードにより生成されるチャネル品質指標と比較される閾値を示す閾値情報を前記第２のノードに通知する通知部をさらに備える、付記２１〜２９のいずれか１項に記載の装置。
【０２７９】
（付記３１）
前記情報取得部は、前記第２のノードから、空間多重又はビームフォーミングに適した２つ以上の端末装置のセットを示す端末セット情報を取得し、
前記制御部は、前記端末セット情報に基づいて、前記２つ以上の端末装置についてのスケジューリングを行う、
付記２１〜３０のいずれか１項に記載の装置。
【０２８０】
（付記３２）
前記情報取得部は、前記第２のノードから、前記２つ以上の端末装置のチャネル情報間の直交性の程度を示す直交性指標、前記２つ以上の端末装置の前記セットについての補正されたチャネル品質指標、又は、前記２つ以上の端末装置の前記セットについての補正されたチャネル情報、若しくは当該補正されたチャネル情報に対応するチャネル情報候補を示す指示情報を取得し、
前記制御部は、前記直交性指標、前記補正されたチャネル品質指標、又は、前記補正されたチャネル情報若しくは前記指示情報にさらに基づいて、前記２つ以上の端末装置についてのスケジューリングを行う、
付記３１に記載の装置。
【０２８１】
（付記３３）
前記装置は、前記第２のノードに接続される第１のノード、又は当該第１のノードのためのモジュールである、付記２１〜３２のいずれか１項に記載の装置。
【０２８２】
（付記３４）
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信する送信処理部と、
前記指示情報に基づいて前記第１のノードにより行われるスケジューリングの結果に基づいて前記第２のノードにより送信されるダウンリンク信号を受信する受信処理部と、
を備える装置。
【０２８３】
（付記３５）
前記第１のノード及び前記第２のノードは、無線アクセスネットワークのノードであり、当該無線アクセスネットワークの処理を分担する、付記２０、３３及び３４のいずれか１項に記載の装置。
【０２８４】
（付記３６）
前記第１のノードは、前記無線アクセスネットワークのプロトコルレイヤにおけるより上位の処理を行うノードであり、
前記第２のノードは、前記無線アクセスネットワークのプロトコルレイヤにおけるより下位の処理を行うノードである、
付記３５に記載の装置。
【０２８５】
（付記３７）
前記第２のノードは、前記第１のノードから離れて位置する、付記２０、３３、３４、３５及び３６のいずれか１項に記載の装置。
【０２８６】
（付記３８）
第１のノードと、
前記第１のノードに接続される第２のノードと、
を含み、
前記第２のノードは、
端末装置により送信されるアップリンク信号に基づいてチャネル推定を行うことにより、前記端末装置についてのチャネル情報を生成し、
予め定められたチャネル情報候補のグループの中から、生成された前記チャネル情報に対応するチャネル情報候補を選択し、
選択された前記チャネル情報候補を示す指示情報を前記第１のノードに通知し、
前記第１のノードは、
前記第２のノードから前記指示情報を取得し、
前記指示情報に基づいて前記端末装置についてのスケジューリングを行う、
システム。
【０２８７】
（付記３９）
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
を含む方法。
【０２８８】
（付記４０）
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
をプロセッサに実行させるためのプログラム。
【０２８９】
（付記４１）
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
をプロセッサに実行させるためのプログラムを記録した読み取り可能な記録媒体。
【０２９０】
（付記４２）
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得することと、
前記指示情報に基づいて、前記端末装置についてのスケジューリングを行うことと、
を含む方法。
【０２９１】
（付記４３）
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得することと、
前記指示情報に基づいて、前記端末装置についてのスケジューリングを行うことと、
をプロセッサに実行させるためのプログラム。
【０２９２】
（付記４４）
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得することと、
前記指示情報に基づいて、前記端末装置についてのスケジューリングを行うことと、
をプロセッサに実行させるためのプログラムを記録した読み取り可能な記録媒体。
【０２９３】
（付記４５）
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信することと、
前記指示情報に基づいて前記第１のノードにより行われるスケジューリングの結果に基づいて前記第２のノードにより送信されるダウンリンク信号を受信することと、
を含む方法。
【０２９４】
（付記４６）
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信することと、
前記指示情報に基づいて前記第１のノードにより行われるスケジューリングの結果に基づいて前記第２のノードにより送信されるダウンリンク信号を受信することと、
をプロセッサに実行させるためのプログラム。
【０２９５】
（付記４７）
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信することと、
前記指示情報に基づいて前記第１のノードにより行われるスケジューリングの結果に基づいて前記第２のノードにより送信されるダウンリンク信号を受信することと、
をプロセッサに実行させるためのプログラムを記録した読み取り可能な記録媒体。
【０２９６】
（付記４８）
第１のノードに接続される第２のノードにおいて、
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
選択された前記チャネル情報候補を示す指示情報を前記第１のノードに通知することと、
前記第１のノードにおいて、
前記第２のノードから前記指示情報を取得することと、
前記指示情報に基づいて前記端末装置についてのスケジューリングを行うことと、
を含む方法。
【０２９７】
（付記４９）
端末装置により送信されるアップリンク信号に基づいてチャネル推定を行うことにより、前記端末装置についてのチャネル情報を生成し、前記端末装置により送信されるアップリンク信号に基づいてチャネル品質を測定することにより、前記端末装置についてのチャネル品質指標を生成する情報生成部と、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択する選択部と、
を備える装置。
【０２９８】
（付記５０）
端末装置により送信されるアップリンク信号に基づいてチャネル推定を行うことにより、前記端末装置についてのチャネル情報を生成することと、
前記端末装置により送信されるアップリンク信号に基づいてチャネル品質を測定することにより、前記端末装置についてのチャネル品質指標を生成することと、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択することと、
を含む方法。
【０２９９】
（付記５１）
端末装置により送信されるアップリンク信号に基づいてチャネル推定を行うことにより、前記端末装置についてのチャネル情報を生成することと、
前記端末装置により送信されるアップリンク信号に基づいてチャネル品質を測定することにより、前記端末装置についてのチャネル品質指標を生成することと、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択することと、
をプロセッサに実行させるためのプログラム。
【０３００】
（付記５２）
端末装置により送信されるアップリンク信号に基づいてチャネル推定を行うことにより、前記端末装置についてのチャネル情報を生成することと、
前記端末装置により送信されるアップリンク信号に基づいてチャネル品質を測定することにより、前記端末装置についてのチャネル品質指標を生成することと、
前記チャネル品質指標に基づいて、前記端末装置についてのスケジューリングを行う第１のノードに、前記チャネル情報、又は前記チャネル情報に対応するチャネル情報候補を示す指示情報を、通知するか否かを選択することと、
をプロセッサに実行させるためのプログラムを記録した読み取り可能な記録媒体。
【０３０１】
（付記５３）
複数の端末装置の各々により送信されるアップリンク信号に基づいてチャネル推定を行うことにより、前記複数の端末装置の各々についてのチャネル情報を生成する情報生成部と、
前記複数の端末装置の各々についての前記チャネル情報に基づいて、前記複数の端末装置のうちの、空間多重又はビームフォーミングに適した２つ以上の端末装置のセットを選択する選択部と、
前記２つ以上の端末装置の前記セットを示す端末セット情報を、前記端末装置についてのスケジューリングを行う第１のノードに通知する通知部と、
を備える装置。
【０３０２】
（付記５４）
複数の端末装置の各々により送信されるアップリンク信号に基づいてチャネル推定を行うことにより、前記複数の端末装置の各々についてのチャネル情報を生成することと、
前記複数の端末装置の各々についての前記チャネル情報に基づいて、前記複数の端末装置のうちの、空間多重又はビームフォーミングに適した２つ以上の端末装置のセットを選択することと、
前記２つ以上の端末装置の前記セットを示す端末セット情報を、前記端末装置についてのスケジューリングを行う第１のノードに通知することと、
を含む方法。
【０３０３】
（付記５５）
複数の端末装置の各々により送信されるアップリンク信号に基づいてチャネル推定を行うことにより、前記複数の端末装置の各々についてのチャネル情報を生成することと、
前記複数の端末装置の各々についての前記チャネル情報に基づいて、前記複数の端末装置のうちの、空間多重又はビームフォーミングに適した２つ以上の端末装置のセットを選択することと、
前記２つ以上の端末装置の前記セットを示す端末セット情報を、前記端末装置についてのスケジューリングを行う第１のノードに通知することと、
をプロセッサに実行させるためのプログラム。
【０３０４】
（付記５６）
複数の端末装置の各々により送信されるアップリンク信号に基づいてチャネル推定を行うことにより、前記複数の端末装置の各々についてのチャネル情報を生成することと、
前記複数の端末装置の各々についての前記チャネル情報に基づいて、前記複数の端末装置のうちの、空間多重又はビームフォーミングに適した２つ以上の端末装置のセットを選択することと、
前記２つ以上の端末装置の前記セットを示す端末セット情報を、前記端末装置についてのスケジューリングを行う第１のノードに通知することと、
をプロセッサに実行させるためのプログラムを記録した読み取り可能な記録媒体。
【０３０５】
（付記５７）
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得する情報取得部と、
前記端末セット情報に基づいて、前記２つ以上の端末装置についてのスケジューリングを行う制御部と、
を備える装置。
【０３０６】
（付記５８）
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得することと、
前記端末セット情報に基づいて、前記２つ以上の端末装置についてのスケジューリングを行うことと、
を含む方法。
【０３０７】
（付記５９）
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得することと、
前記端末セット情報に基づいて、前記２つ以上の端末装置についてのスケジューリングを行うことと、
をプロセッサに実行させるためのプログラム。
【０３０８】
（付記６０）
複数の端末装置の各々により送信されるアップリンク信号に基づいてチャネル推定を行うことにより前記複数の端末装置の各々についてのチャネル情報を生成し、前記複数の端末装置の各々についての前記チャネル情報に基づいて前記複数の端末装置のうちの空間多重又はビームフォーミングに適した２つ以上の端末装置のセットを選択する第２のノードから、当該２つ以上の端末装置の当該セットを示す端末セット情報を取得することと、
前記端末セット情報に基づいて、前記２つ以上の端末装置についてのスケジューリングを行うことと、
をプロセッサに実行させるためのプログラムを記録した読み取り可能な記録媒体。
【０３０９】
（付記６１）
端末装置についてのスケジューリングを行う制御部と、
前記スケジューリングの結果として生成されるスケジューリング情報を、前記端末装置へダウンリンク信号を送信する第２のノードに通知する通知部と、
を備え、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
装置。
【０３１０】
（付記６２）
端末装置についてのスケジューリングを行うことと、
前記スケジューリングの結果として生成されるスケジューリング情報を、前記端末装置へダウンリンク信号を送信する第２のノードに通知することと、
を含み、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
方法。
【０３１１】
（付記６３）
端末装置についてのスケジューリングを行うことと、
前記スケジューリングの結果として生成されるスケジューリング情報を、前記端末装置へダウンリンク信号を送信する第２のノードに通知することと、
をプロセッサに実行させるためのプログラムであり、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
プログラム。
【０３１２】
（付記６４）
端末装置についてのスケジューリングを行うことと、
前記スケジューリングの結果として生成されるスケジューリング情報を、前記端末装置へダウンリンク信号を送信する第２のノードに通知することと、
をプロセッサに実行させるためのプログラムを記録した読み取り可能な記録媒体であり、
前記スケジューリング情報は、ダウンリンク信号を送信するために前記第２のノードにより使用される情報であり、
前記スケジューリング情報は、リソース割当て情報を含み、
前記リソース割当て情報は、前記端末装置に割り当てられる無線リソースのパターンを示す、
記録媒体。
【０３１３】
（付記６５）
端末装置についてのスケジューリングを行う第１のノードから、当該スケジューリングの結果として生成されるスケジューリング情報を取得する情報取得部と、
前記スケジューリング情報に基づいてダウンリンク信号を送信する送信処理部と、
を備え、
前記スケジューリング情報は、リソース割当て情報を含み、
前記リソース割当て情報は、前記端末装置に割り当てられる無線リソースのパターンを示す、
装置。
【０３１４】
（付記６６）
端末装置についてのスケジューリングを行う第１のノードから、当該スケジューリングの結果として生成されるスケジューリング情報を取得することと、
前記スケジューリング情報に基づいてダウンリンク信号を送信することと、
を含み、
前記スケジューリング情報は、リソース割当て情報を含み、
前記リソース割当て情報は、前記端末装置に割り当てられる無線リソースのパターンを示す、
方法。
【０３１５】
（付記６７）
端末装置についてのスケジューリングを行う第１のノードから、当該スケジューリングの結果として生成されるスケジューリング情報を取得することと、
前記スケジューリング情報に基づいてダウンリンク信号を送信することと、
をプロセッサに実行させるためのプログラムであり、
前記スケジューリング情報は、リソース割当て情報を含み、
前記リソース割当て情報は、前記端末装置に割り当てられる無線リソースのパターンを示す、
プログラム。
【０３１６】
（付記６８）
端末装置についてのスケジューリングを行う第１のノードから、当該スケジューリングの結果として生成されるスケジューリング情報を取得することと、
前記スケジューリング情報に基づいてダウンリンク信号を送信することと、
をプロセッサに実行させるためのプログラムを記録した読み取り可能な記録媒体であり、
前記スケジューリング情報は、リソース割当て情報を含み、
前記リソース割当て情報は、前記端末装置に割り当てられる無線リソースのパターンを示す、
記録媒体。
【０３１７】
（付記６９）
前記装置は、前記第１のノードに接続される第２のノード、又は当該第２のノードのためのモジュールである、付記４９、５３及び６５のいずれか１項に記載の装置。
【０３１８】
（付記７０）
前記装置は、前記第２のノードに接続される第１のノード、又は当該第１のノードのためのモジュールである、付記５７又は６１に記載の装置。
【０３１９】
この出願は、２０１５年８月３１日に出願された日本出願特願２０１５−１７０２２６を基礎とする優先権を主張し、その開示の全てをここに取り込む。
【符号の説明】
【０３２０】
１              システム
１０、８０      通信エリア
７０            ｅＮＢ（evolved  Node  B）
９０            ＵＥ（User  Equipment）
２０            伝送路
１００          リモートノード
１４１、１５１  情報生成部
１４３、１５３  選択部
１４５、１５５  通知部
１４７          情報取得部
１４９          送信処理部
２００          集約ノード
２３１、２４１  情報取得部
２３３、２４３  制御部
２３５          通知部
３００          端末装置
３３１、３４１  送信処理部
３３３、３４３  受信処理部
【図１】
2017038529.tif 000006
【図２】
2017038529.tif 000007
【図３】
2017038529.tif 000008
【図４】
2017038529.tif 000009
【図５】
2017038529.tif 000010
【図６】
2017038529.tif 000011
【図７】
2017038529.tif 000012
【図８】
2017038529.tif 000013
【図９】
2017038529.tif 000014
【図１０】
2017038529.tif 000015
【図１１】
2017038529.tif 000016
【図１２】
2017038529.tif 000017
【図１３】
2017038529.tif 000018
【図１４】
2017038529.tif 000019
【図１５】
2017038529.tif 000020
【図１６】
2017038529.tif 000021
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
端末装置により送信されるアップリンク信号に基づいてチャネル推定を行うことにより、前記端末装置についてのチャネル情報を生成する情報生成部と、
予め定められたチャネル情報候補のグループの中から、生成された前記チャネル情報に対応するチャネル情報候補を選択する選択部と、
前記端末装置についてのスケジューリングを行う第１のノードに、選択された前記チャネル情報候補を示す指示情報を通知する通知部と、
を備える装置。
【請求項２】
予め定められたチャネル情報候補の前記グループは、予め定められたチャネル情報候補を要素として含むコードブックである、請求項１に記載の装置。
【請求項３】
前記コードブックは、プリコーディング行列のフィードバックのために前記端末装置により使用される他のコードブックを、前記コードブックの一部として含む、請求項２に記載の装置。
【請求項４】
前記コードブックは、プリコーディング行列のフィードバックのために前記端末装置により使用されるコードブックと同じである、請求項２に記載の装置。
【請求項５】
前記アップリンク信号は、前記端末装置により送信されるアップリンクリファレンス信号である、請求項１〜４のいずれか１項に記載の装置。
【請求項６】
端末装置により送信されるアップリンク信号に基づいてチャネル推定を行うことにより前記端末装置についてのチャネル情報を生成し、予め定められたチャネル情報候補のグループの中から、生成された前記チャネル情報に対応するチャネル情報候補を選択する第２のノードから、選択された前記チャネル情報候補を示す指示情報を取得する情報取得部と、
前記指示情報に基づいて、前記端末装置についてのスケジューリングを行う制御部と、
を備える装置。
【請求項７】
アップリンク信号に基づいてチャネル推定を行うことによりチャネル情報を生成し、予め定められたチャネル情報候補のグループの中から、生成された前記チャネル情報に対応するチャネル情報候補を選択し、選択された前記チャネル情報候補を示す指示情報を第１のノードに通知する第２のノードへ、前記アップリンク信号を送信する送信処理部と、
前記指示情報に基づいて前記第１のノードにより行われるスケジューリングの結果に基づいて前記第２のノードにより送信されるダウンリンク信号を受信する受信処理部と、
を備える装置。
【請求項８】
第１のノードと、
前記第１のノードに接続される第２のノードと、
を含み、
前記第２のノードは、
端末装置により送信されるアップリンク信号に基づいてチャネル推定を行うことにより、前記端末装置についてのチャネル情報を生成し、
予め定められたチャネル情報候補のグループの中から、生成された前記チャネル情報に対応するチャネル情報候補を選択し、
選択された前記チャネル情報候補を示す指示情報を前記第１のノードに通知し、
前記第１のノードは、
前記第２のノードから前記指示情報を取得し、
前記指示情報に基づいて前記端末装置についてのスケジューリングを行う、
システム。
【請求項９】
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
を含む方法。
【請求項１０】
端末装置により送信されるアップリンク信号に基づいてチャネル推定を行うことにより、前記端末装置についてのチャネル情報を生成することと、
予め定められたチャネル情報候補のグループの中から、生成された前記チャネル情報に対応するチャネル情報候補を選択することと、
前記端末装置についてのスケジューリングを行う第１のノードに、選択された前記チャネル情報候補を示す指示情報を通知することと、
をプロセッサに実行させるためのプログラム。
【国際調査報告】
2017038529.tif 000022
2017038529.tif 000023
2017038529.tif 000024
2017038529.tif 000025
2017038529.tif 000026
2017038529.tif 000027
2017038529.tif 000028
2017038529.tif 000029
2017038529.tif 000030
2017038529.tif 000031